(57)【特許請求の範囲】
【請求項１】
セルにおいて、端末と通信する基地局であって、
前記端末に対する制御情報を、第１の制御チャネルの送信に用いられる第１のアンテナポートとは異なる第２のアンテナポートを用いて送信される第２の制御チャネルで送信する送信部を備え、
前記第１のアンテナポートは、前記セルに固有の参照信号であるセル固有参照信号の送信に用いられるアンテナポートであり、前記第２のアンテナポートは、前記第２の制御チャネルに関連付けられる復調参照信号の送信に用いられるアンテナポートであり、
前記端末が前記第２の制御チャネルをモニタリングするサブフレームの設定情報を、前記端末に送信する、基地局。
【請求項２】
前記復調参照信号は、前記第２のアンテナポートに対応する直交符号と、ＲＲＣシグナリングを通じて前記端末に設定される識別情報に基づいて生成される擬似雑音系列と、に基づいて生成される、請求項１に記載の基地局。
【請求項３】
予め規定される前記第２のアンテナポートを用いて、前記第２の制御チャネルが送信される、請求項１に記載の基地局。
【請求項４】
前記第２の制御チャネルのモニタリングは、前記セル毎に個別に設定される、請求項１に記載の基地局。
【請求項５】
セルにおいて、端末と通信する基地局であって、
前記端末に対する制御情報を、第１のアンテナポートを用いて送信される第１の制御チャネルまたは第２のアンテナポートを用いて送信される第２の制御チャネルで送信する送信部を備え、
前記第２の制御チャネルのモニタリングが前記端末に設定されない場合、前記端末に対する制御情報は前記第１の制御チャネルで送信され、
前記第２の制御チャネルのモニタリングが前記端末に設定される場合、前記端末に対する制御情報は前記第１の制御チャネルまたは前記第２の制御チャネルで送信され、
前記第１のアンテナポートは、前記セルに固有の参照信号であるセル固有参照信号の送信に用いられるアンテナポートであり、前記第２のアンテナポートは、前記第２の制御チャネルに関連付けられる復調参照信号の送信に用いられるアンテナポートであり、
前記端末が前記第２の制御チャネルをモニタリングするサブフレームの設定情報を、前記端末に送信する、基地局。
【請求項６】
セルにおいて、端末と通信する基地局であって、
前記端末に対する制御情報を、第１のアンテナポートを用いて送信される第１の制御チャネルまたは第２のアンテナポートを用いて送信される第２の制御チャネルで送信する送信部を備え、
前記第２の制御チャネルのモニタリングが前記端末に設定されない場合、前記端末に対する制御情報は前記第１の制御チャネルで送信され、
前記第２の制御チャネルのモニタリングが前記端末に設定される場合、前記端末に対する制御情報は前記第２の制御チャネルで送信され、
前記第１のアンテナポートは、前記セルに固有の参照信号であるセル固有参照信号の送信に用いられるアンテナポートであり、前記第２のアンテナポートは、前記第２の制御チャネルに関連付けられる復調参照信号の送信に用いられるアンテナポートであり、
前記端末が前記第２の制御チャネルをモニタリングするサブフレームの設定情報を、前記端末に送信する、基地局。
【請求項７】
セルにおいて、基地局と通信する端末であって、
第１の制御チャネルの送信に用いられる第１のアンテナポートとは異なる第２のアンテナポートを用いて送信される第２の制御チャネルをモニタリングし、前記第２の制御チャネルで送信される前記端末に対する制御情報を受信する受信部を備え、
前記第１のアンテナポートは、前記セルに固有の参照信号であるセル固有参照信号の送信に用いられるアンテナポートであり、前記第２のアンテナポートは、前記第２の制御チャネルに関連付けられる復調参照信号の送信に用いられるアンテナポートであり、
前記端末が前記第２の制御チャネルをモニタリングするサブフレームの設定情報を、受信し、前記設定情報を用いて前記第２の制御チャネルをモニタリングする、端末。
【請求項８】
前記復調参照信号は、前記第２のアンテナポートに対応する直交符号と、ＲＲＣシグナリングを通じて前記端末に設定される識別情報に基づいて生成される擬似雑音系列と、に基づいて生成される、請求項７に記載の端末。
【請求項９】
予め規定される前記第２のアンテナポートを用いて、前記第２の制御チャネルが送信される、請求項７に記載の端末。
【請求項１０】
前記第２の制御チャネルのモニタリングは、前記セル毎に個別に設定される、請求項７に記載の端末。
【請求項１１】
セルにおいて、基地局と通信する端末であって、
第１のアンテナポートを用いて送信される第１の制御チャネルまたは第２のアンテナポートを用いて送信される第２の制御チャネルで送信される、前記端末に対する制御情報を受信する受信部を備え、
前記第２の制御チャネルのモニタリングが前記端末に設定されない場合、前記受信部は、前記第１の制御チャネルの候補をモニタリングし、前記端末に対する制御情報を受信し、
前記第２の制御チャネルのモニタリングが前記端末に設定される場合、前記受信部は、前記第１の制御チャネルの候補および前記第２の制御チャネルの候補をモニタリングし、前記端末に対する制御情報を受信し、
前記第１のアンテナポートは、前記セルに固有の参照信号であるセル固有参照信号の送信に用いられるアンテナポートであり、前記第２のアンテナポートは、前記第２の制御チャネルに関連付けられる復調参照信号の送信に用いられるアンテナポートであり、
前記端末が前記第２の制御チャネルをモニタリングするサブフレームの設定情報を、受信し、前記設定情報を用いて前記第２の制御チャネルをモニタリングする、端末。
【請求項１２】
セルにおいて、基地局と通信する端末であって、
第１のアンテナポートを用いて送信される第１の制御チャネルまたは第２のアンテナポートを用いて送信される第２の制御チャネルで送信される、前記端末に対する制御情報を受信する受信部を備え、
前記第２の制御チャネルのモニタリングが前記端末に設定されない場合、前記受信部は、前記第１の制御チャネルの候補をモニタリングし、前記端末に対する制御情報を受信し、
前記第２の制御チャネルのモニタリングが前記端末に設定される場合、前記受信部は、前記第２の制御チャネルの候補をモニタリングし、前記端末に対する制御情報を受信し、
前記第１のアンテナポートは、前記セルに固有の参照信号であるセル固有参照信号の送信に用いられるアンテナポートであり、前記第２のアンテナポートは、前記第２の制御チャネルに関連付けられる復調参照信号の送信に用いられるアンテナポートであり、
前記端末が前記第２の制御チャネルをモニタリングするサブフレームの設定情報を、受信し、前記設定情報を用いて前記第２の制御チャネルをモニタリングする、端末。
【請求項１３】
セルにおいて、端末と通信する基地局に用いられる無線通信方法であって、
前記端末に対する制御情報を、第１の制御チャネルの送信に用いられる第１のアンテナポートとは異なる第２のアンテナポートを用いて送信される第２の制御チャネルで送信し、
前記第１のアンテナポートは、前記セルに固有の参照信号であるセル固有参照信号の送信に用いられるアンテナポートであり、前記第２のアンテナポートは、前記第２の制御チャネルに関連付けられる復調参照信号の送信に用いられるアンテナポートであり、
前記端末が前記第２の制御チャネルをモニタリングするサブフレームの設定情報を、前記端末に送信する、無線通信方法。
【請求項１４】
セルにおいて、基地局と通信する端末に用いられる無線通信方法であって、
第１の制御チャネルの送信に用いられる第１のアンテナポートとは異なる第２のアンテナポートを用いて送信される第２の制御チャネルをモニタリングし、前記第２の制御チャネルで送信される前記端末に対する制御情報を受信し、
前記第１のアンテナポートは、前記セルに固有の参照信号であるセル固有参照信号の送信に用いられるアンテナポートであり、前記第２のアンテナポートは、前記第２の制御チャネルに関連付けられる復調参照信号の送信に用いられるアンテナポートであり、
前記端末が前記第２の制御チャネルをモニタリングするサブフレームの設定情報を、受信し、前記設定情報を用いて前記第２の制御チャネルをモニタリングする、無線通信方法。
【発明の詳細な説明】
【技術分野】
【０００１】
本発明は、基地局、端末および無線通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局（セル、送信局、送信装置、ｅＮｏｄｅＢ）および端末（移動端末、受信局、移動局、受信装置、ＵＥ（Ｕｓｅｒ  Ｅｑｕｉｐｍｅｎｔ））は、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術を用いることにより、データ信号を空間多重し、高速なデータ通信を実現する。
【０００３】
その無線通信システムにおいて、基地局と端末とのデータ通信を実現するためには、基地局は端末に対して様々な制御を行うことが必要である。そのため、基地局は、端末に対して、所定のリソースを用いて、制御情報を通知することにより、下りリンクおよび上りリンクにおけるデータ通信を行う。例えば、基地局は、端末に対して、リソースの割り当て情報、データ信号の変調および符号化情報、データ信号の空間多重数情報、送信電力制御情報等を通知することにより、データ信号を実現する。そのような制御情報は、非特許文献１に記載された方法を用いることができる。
【０００４】
また、下りリンクにおけるＭＩＭＯ技術を用いた通信方法は、様々な方法を用いることができ、例えば、同一のリソースを異なる端末に割り当てるマルチユーザＭＩＭＯ方式や、複数の基地局が互いに協調してデータ通信を行うＣｏＭＰ（Ｃｏｏｐｅｒａｔｉｖｅ  Ｍｕｌｔｉｐｏｉｎｔ）方式等を用いることができる。
【０００５】
図１４は、マルチユーザＭＩＭＯ方式を行う一例を示す図である。図１４では、基地局１４０１は、下りリンク１４０４を通じて端末１４０２にデータ通信を行い、下りリンク１４０５を通じて端末１４０３にデータ通信を行う。このとき、端末１４０２および端末１４０３は、マルチユーザＭＩＭＯによるデータ通信を行う。下りリンク１４０４および下りリンク１４０５は、周波数方向および時間方向に同一のリソースを用いる。また、下りリンク１４０４および下りリンク１４０５は、プレコーディング技術等を用い、それぞれビームを制御することにより、互いに直交性の維持または同一チャネル干渉の低減を行う。これにより、基地局１４０１は、端末１４０２および端末１４０３に対して、同一のリソースを用いたデータ通信を実現できる。
【０００６】
図１５は、ＣｏＭＰ方式を行う一例を示す図である。図１５では、カバレッジの広いマクロ基地局１５０１と、そのマクロ基地局よりもカバレッジの狭いＲＲＨ（Ｒｅｍｏｔｅ  Ｒａｄｉｏ  Ｈｅａｄ）１５０２によりヘテロジーニアスネットワーク構成を用いた無線通信システムを構築する場合を示す。ここで、マクロ基地局１５０１のカバレッジは、ＲＲＨ１５０２のカバレッジの一部または全部を含んで構成する場合を考える。図１５に示す例では、マクロ基地局１５０１、ＲＲＨ１５０２によりヘテロジーニアスネットワーク構成を構築し、互いに協調して、それぞれ下りリンク１５０５および下りリンク１５０６を通じて、端末１５０４に対するデータ通信を行う。マクロ基地局１５０１は、回線１５０３を通じてＲＲＨ１５０２と接続しており、ＲＲＨ１５０２と制御信号やデータ信号を送受信することができる。回線１５０３は、それぞれ光ファイバ等の有線回線やリレー技術を用いた無線回線を用いることができる。このとき、マクロ基地局１５０１およびＲＲＨ１５０２がそれぞれ一部または全部が同一の周波数（リソース）を用いることで、マクロ基地局１５０１が構築するカバレッジのエリア内の総合的な周波数利用効率（伝送容量）が向上できる。
【０００７】
端末１５０４は、基地局１５０１またはＲＲＨ１５０２の付近に位置している場合、基地局１５０１またはＲＲＨ１５０２とシングルセル通信することができる。さらに、端末１５０４は、ＲＲＨ１５０２が構築するカバレッジの端付近（セルエッジ）に位置する場合、マクロ基地局１５０１からの同一チャネル干渉に対する対策が必要になる。マクロ基地局１５０１とＲＲＨ１５０２とのマルチセル通信（協調通信）として、隣接基地局間で互いに協調するＣｏＭＰ方式を用いることにより、セルエッジ領域の端末１５０４に対する干渉を軽減または抑圧する方法が検討されている。例えば、そのようなＣｏＭＰ方式として、非特許文献２に記載された方法が検討されている。
【先行技術文献】
【非特許文献】
【０００８】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  １０）、２０１１年３月、３ＧＰＰ  ＴＳ  ３６．２１２  Ｖ１０．１．０  （２０１１−０３）。
【非特許文献２】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ（Ｒｅｌｅａｓｅ  ９）、２０１０年３月、３ＧＰＰ  ＴＲ  ３６．８１４  Ｖ９．０．０  （２０１０−０３）。
【発明の概要】
【発明が解決しようとする課題】
【０００９】
しかしながら、マルチユーザＭＩＭＯ方式やＣｏＭＰ方式のようなＭＩＭＯ通信を行うことができる無線通信システムにおいて、１つの基地局が提供できる伝送容量が向上するため、収容できる端末の数も増加する。そのため、基地局が端末に対して、従来のリソースを用いて制御情報を通知する場合、制御情報を割り当てるリソースが不足する場合が生じることになる。その場合、基地局は、端末に対するデータを効率的に割り当てることが困難となり、伝送効率の向上が妨げられる要因となる。
【００１０】
本発明は、上記問題を鑑みてなされたものであり、その目的は、基地局と端末が通信する無線通信システムにおいて、基地局が端末に対する制御情報を効率的に通知することができる基地局、端末および無線通信方法を提供することにある。
【課題を解決するための手段】
【００１１】
（１）この発明は上述した課題を解決するためになされたもので、本発明の一態様による基地局は、端末と通信する基地局であって、前記基地局に固有の参照信号であるセル固有参照信号と同じ送信ポートを用いる第１の制御チャネル、または、前記端末に固有の参照信号である端末固有参照信号と同じ送信ポートを用いる第２の制御チャネルに、前記端末に対する制御情報をマッピングして送信することを特徴とする。
【００１２】
（２）また、本発明の一態様による基地局は上記の基地局であって、前記端末に対する制御情報を前記第２の制御チャネルにマッピングする場合、前記端末に前記第２の制御チャネルを設定するための設定情報を送信することを特徴とする。
【００１３】
（３）また、本発明の一態様による端末は、基地局と通信する端末であって、前記端末に対する制御情報が、前記基地局によって、前記基地局に固有の参照信号であるセル固有参照信号と同じ送信ポートを用いる第１の制御チャネルにマッピングして送信された場合、前記セル固有参照信号を用いて前記第１の制御チャネルを復調し、前記端末に対する制御情報が、前記基地局によって、前記端末に固有の参照信号である端末固有参照信号と同じ送信ポートを用いる第２の制御チャネルにマッピングして送信された場合、前記端末固有参照信号を用いて前記第２の制御チャネルを復調することを特徴とする。
【００１４】
（４）また、本発明の一態様による端末は、基地局と通信する端末であって、前記基地局により、前記端末に固有の参照信号である端末固有参照信号と同じ送信ポートを用いる制御チャネルが設定されない場合、前記基地局に固有の参照信号であるセル固有参照信号を用いて、前記端末に対する制御情報がマッピングされた制御チャネルを復調し、前記基地局により、前記制御チャネルが設定される場合、前記端末固有参照信号を用いて、前記端末に対する制御情報がマッピングされた制御チャネルを復調することを特徴とする。
【００１５】
（５）また、本発明の一態様による通信システムは、基地局と端末が通信する通信システムであって、前記基地局は、前記基地局に固有の参照信号であるセル固有参照信号と同じ送信ポートを用いる第１の制御チャネル、または、前記端末に固有の参照信号である端末固有参照信号と同じ送信ポートを用いる第２の制御チャネルに、前記端末に対する制御情報をマッピングして送信し、前記端末は、前記端末に対する制御情報が、前記基地局によって、前記第１の制御チャネルにマッピングして送信された場合、前記セル固有参照信号を用いて前記第１の制御チャネルを復調し、前記端末に対する制御情報が、前記基地局によって、前記第２の制御チャネルにマッピングして送信された場合、前記端末固有参照信号を用いて前記第２の制御チャネルを復調することを特徴とする。
【００１６】
（６）また、本発明の一態様による通信システムは、基地局と端末が通信する通信システムであって、前記基地局は、前記端末に対する制御情報を、前記基地局に固有の参照信号であるセル固有参照信号と同じ送信ポートを用いる第１の制御チャネルにマッピングして送信する場合、前記制御情報を前記第１の制御チャネルにマッピングして送信し、前記端末に対する制御情報を、前記端末に固有の参照信号である端末固有参照信号と同じ送信ポートを用いる第２の制御チャネルにマッピングして送信する場合、前記端末に前記第２の制御チャネルを設定し、前記制御情報を前記第１の制御チャネルにマッピングして送信し、前記端末は、前記基地局により、前記第２の制御チャネルが設定されない場合、前記セル固有参照信号を用いて、前記第１の制御チャネルを復調し、前記基地局により、前記第２の制御チャネルが設定される場合、前記端末固有参照信号を用いて、前記第２の制御チャネルを復調することを特徴とする。
【００１７】
（７）また、本発明の一態様による通信方法は、端末と通信する基地局の通信方法であって、前記基地局は、前記基地局に固有の参照信号であるセル固有参照信号と同じ送信ポートを用いる第１の制御チャネル、または、前記端末に固有の参照信号である端末固有参照信号と同じ送信ポートを用いる第２の制御チャネルに、前記端末に対する制御情報をマッピングして送信するステップを有することを特徴とする。
【００１８】
（８）また、本発明の一態様による通信方法は、基地局と通信する端末の通信方法であって、前記端末は、前記端末に対する制御情報が、前記基地局によって、前記基地局に固有の参照信号であるセル固有参照信号と同じ送信ポートを用いる第１の制御チャネルにマッピングして送信された場合、前記セル固有参照信号を用いて前記第１の制御チャネルを復調し、前記端末に対する制御情報が、前記基地局によって、前記端末に固有の参照信号である端末固有参照信号と同じ送信ポートを用いる第２の制御チャネルにマッピングして送信された場合、前記端末固有参照信号を用いて前記第２の制御チャネルを復調するステップを有することを特徴とする。
【発明の効果】
【００１９】
この発明によれば、基地局と端末が通信する無線通信システムにおいて、基地局が端末に対する制御情報を効率的に通知することができる。
【図面の簡単な説明】
【００２０】
【図１】本発明の第１の実施形態に係るデータ伝送を行う通信システムを示す概略図である。
【図２】本発明の第１の実施形態に係る基地局１０１の構成を示す概略ブロック図である。
【図３】本発明の第１の実施形態に係る端末１０２の構成を示す概略ブロック図である。
【図４】基地局１０１がマッピングする１つのリソースブロックペアの一例を示す図である。
【図５】基地局１０１がマッピングするチャネルの一例を示す図である。
【図６】無線リソースに対する端末固有設定情報を設定するためのフローを示す図である。
【図７】無線リソースに対する端末固有設定情報の一例を示す図である。
【図８】第２の制御チャネルの端末固有設定情報の一例を示す図である。
【図９】端末１０２における制御チャネルおよびデータチャネルの受信処理のフローを示す図である。
【図１０】本発明の第２の実施形態に係るキャリアアグリゲーションを行うセルの周波数配置の一例を示す図である。
【図１１】無線リソースに対する端末固有設定情報の別の一例を示す図である。
【図１２】無線リソースに対する端末固有設定情報の別の一例を示す図である。
【図１３】第２の制御チャネルの端末固有設定情報の別の一例を示す図である。
【図１４】マルチユーザＭＩＭＯ方式を行う一例を示す図である。
【図１５】ＣｏＭＰ方式を行う一例を示す図である。
【発明を実施するための形態】
【００２１】
（第１の実施形態）
以下、本発明の第１の実施形態について説明する。本第１の実施形態における通信システムは、基地局（送信装置、セル、送信点、送信アンテナ群、送信アンテナポート群、コンポーネントキャリア、ｅＮｏｄｅＢ）および端末（端末装置、移動端末、受信点、受信端末、受信装置、受信アンテナ群、受信アンテナポート群、ＵＥ）を備える。
【００２２】
図１は、本発明の第１の実施形態に係るデータ伝送を行う通信システムを示す概略図である。図１では、基地局１０１は、端末１０２とデータ通信を行うため、下りリンク１０３を通じて、制御情報および情報データを送信する。
【００２３】
ここで、制御情報は、誤り検出符号化処理等が施され、制御チャネルにマッピングされる。誤り訂正符号化処理や変調処理が施された制御チャネルは、第１の制御チャネル（第１の物理制御チャネル）領域、あるいは第１の制御チャネル領域とは異なる第２の制御チャネル（第２の物理制御チャネル）領域を介して送受信される。ただし、ここで言う物理制御チャネルは物理チャネルの一種であり、物理フレーム上に規定される制御チャネルである。
【００２４】
なお、１つの観点から見ると、第１の制御チャネルは、セル固有参照信号と同じ送信ポート（アンテナポート）を用いる物理制御チャネルである。また、第２の制御チャネルは、端末固有参照信号と同じ送信ポートを用いる物理制御チャネルである。端末１０２は、第１の制御チャネルに対して、セル固有参照信号を用いて復調し、第２の制御チャネルに対して、端末固有参照信号を用いて復調する。セル固有参照信号は、セル内の全端末に共通の参照信号であって、ほぼすべてのリソースに挿入されているためにいずれの端末も使用可能な参照信号である。このため、第１の制御チャネルは、いずれの端末も復調可能である。一方、端末固有参照信号は、割り当てられたリソースのみに挿入される参照信号であって、データと同じように適応的にビームフォーミング処理を行うことができる。このため、第２の制御チャネルでは、適応的なビームフォーミングの利得を得ることができる。
【００２５】
また、異なる観点から見ると、第１の制御チャネル領域にマッピングされる制御チャネル（第１の制御チャネル）は、物理サブフレームの前部に位置するＯＦＤＭシンボル（シンボル）上の物理制御チャネルであり、これらのＯＦＤＭシンボル上のシステム帯域幅（コンポーネントキャリア（ＣＣ；Ｃｏｍｐｏｎｅｎｔ  Ｃａｒｒｉｅｒ））全域に配置されうる。また、第２の制御チャネル領域にマッピングされる制御チャネル（第２の制御チャネル）は、物理サブフレームの第１の制御チャネルよりも後方に位置するＯＦＤＭシンボル上の物理制御チャネルであり、これらのＯＦＤＭシンボル上のシステム帯域幅内のうち、一部の帯域に配置されうる。第１の制御チャネルは、物理サブフレームの前部に位置する制御チャネル専用のＯＦＤＭシンボル上に配置されるため、物理データチャネル用の後部のＯＦＤＭシンボルよりも前に受信および復調することができる。また、制御チャネル専用のＯＦＤＭシンボルのみをモニターする端末も受信することができる。また、ＣＣ全域に拡散されて配置されうるため、セル間干渉をランダム化することができる。また、第１の制御チャネル領域は、基地局１０１固有に設定される領域であり、基地局１０１に接続する全ての端末に共通の領域である。一方、第２の制御チャネルは、通信中の端末が通常受信する共有チャネル（物理データチャネル）用の後部のＯＦＤＭシンボル上に配置される。また、周波数分割多重することにより、第２の制御チャネル同士あるいは第２の制御チャネルと物理データチャネルとを直交多重（干渉無しの多重）することができる。また、第２の制御チャネル領域は、端末１０２固有に設定される領域であり、基地局１０１に接続する端末毎に設定される領域である。また、第１の制御チャネル領域と第２の制御チャネル領域は、同一の物理サブフレームに配置される。ここで、ＯＦＤＭシンボルは、各チャネルのビットをマッピングする時間方向の単位である。
【００２６】
また、異なる観点から見ると、第１の制御チャネルは、セル固有の物理制御チャネルであり、アイドル状態の端末およびコネクト状態の端末の両方が取得（検出）できる物理チャネルである。また、第２の制御チャネルは、端末固有の物理制御チャネルであり、コネクト状態の端末のみが取得できる物理チャネルである。ここで、アイドル状態とは、基地局がＲＲＣ（Ｒａｄｉｏ  Ｒｅｓｏｕｒｃｅ  Ｃｏｎｔｒｏｌ）の情報を蓄積してない状態（ＲＲＣ＿ＩＤＬＥ状態）や、移動局が間欠受信（ＤＲＸ）を行っている状態など、直ちにデータの送受信を行わない状態である。一方、コネクト状態とは、端末がネットワークの情報を保持している状態（ＲＲＣ＿ＣＯＮＮＥＣＴＥＤ状態）や、移動局が間欠受信（ＤＲＸ）を行っていない状態など、直ちにデータの送受信を行うことができる状態である。第１の制御チャネルは、端末固有のＲＲＣシグナリングに依存せず端末が受信可能なチャネルである。第２の制御チャネルは、端末固有のＲＲＣシグナリングによって設定されるチャネルであり、端末固有のＲＲＣシグナリングによって端末が受信可能なチャネルである。すなわち、第１の制御チャネルは、予め限定された設定により、いずれの端末も受信可能なチャネルであり、第２の制御チャネルは端末固有の設定変更が容易なチャネルである。
【００２７】
図２は、本発明の第１の実施形態に係る基地局１０１の構成を示す概略ブロック図である。図２において、基地局１０１は、上位レイヤー２０１、データチャネル生成部２０２、端末固有参照信号多重部２０３、プレコーディング部２０４、セル固有参照信号多重部２０５、送信信号生成部２０６、送信部２０７を備えている。
【００２８】
上位レイヤー２０１は、端末１０２に対する情報データを生成し、データチャネル生成部２０２に出力する。
【００２９】
データチャネル生成部（共有チャネル生成部）２０２は、上位レイヤー２０１が出力した情報データに対して、適応制御を行い、端末１０２に対するデータチャネル（共有チャネル）を生成する。具体的には、データチャネル生成部２０２は、誤り訂正符号化を行うための符号化処理、端末１０２に固有のスクランブル符号を施すためのスクランブル処理、多値変調方式などを用いるための変調処理、ＭＩＭＯなどの空間多重を行うためのレイヤーマッピング処理などを行う。
【００３０】
端末固有参照信号多重部２０３は、端末１０２に固有の端末固有参照信号（データチャネル復調用参照信号、端末固有制御チャネル復調用参照信号、ＤＭ−ＲＳ（Ｄｅｍｏｄｕｌａｔｉｏｎ  Ｒｅｆｅｒｅｎｃｅ  Ｓｉｇｎａｌ）、ＤＲＳ（Ｄｅｄｉｃａｔｅｄ  Ｒｅｆｅｒｅｎｃｅ  Ｓｉｇｎａｌ）、Ｐｒｅｃｏｄｅｄ  ＲＳ、ユーザ固有参照信号、ＵＥ−ｓｐｅｃｉｆｉｃ  ＲＳ）を生成し、データチャネル生成部２０２が生成したデータチャネルにその端末固有参照信号を多重する。
【００３１】
プレコーディング部２０４は、端末固有参照信号多重部２０３により出力されたデータチャネルおよび端末固有参照信号に対して、端末１０２に固有のプレコーディング処理が行われる。ここで、プレコーディング処理は、端末１０２が効率よく受信できるように（例えば、受信電力が最大になるように、または隣接セルからの干渉が小さくなるように、または隣接セルへの干渉が小さくなるように）、生成する信号に対して位相回転などを行うことが好ましい。また、予め決められたプレコーディング行列による処理、ＣＤＤ（Ｃｙｃｌｉｃ  Ｄｅｌａｙ  Ｄｉｖｅｒｓｉｔｙ）、送信ダイバーシチ（ＳＦＢＣ（Ｓｐａｔｉａｌ  Ｆｒｅｑｕｅｎｃｙ  Ｂｌｏｃｋ  Ｃｏｄｅ）、ＳＴＢＣ（Ｓｐａｔｉａｌ  Ｔｉｍｅ  Ｂｌｏｃｋ  Ｃｏｄｅ）、ＴＳＴＤ  （Ｔｉｍｅ  Ｓｗｉｔｃｈｅｄ  Ｔｒａｎｓｍｉｓｓｉｏｎ  Ｄｉｖｅｒｓｉｔｙ）、ＦＳＴＤ（Ｆｒｅｑｕｅｎｃｙ  Ｓｗｉｔｃｈｅｄ  Ｔｒａｎｓｍｉｓｓｉｏｎ  Ｄｉｖｅｒｓｉｔｙ）など）を用いることができるがこれに限るものではない。ここで、ＰＭＩが複数種類に分けられたものがフィードバックされた場合、その複数のＰＭＩを乗算などによる演算を行い、プレコーディング処理を行うことができる。
【００３２】
ここで、端末固有参照信号は、基地局１０１と端末１０２で互いに既知の信号を用いる。さらに、データチャネルおよび端末固有参照信号は、プレコーディング部２０４により、端末１０２に固有のプレコーディング処理が行われる。そのため、端末１０２がデータチャネルを復調するに際し、端末固有参照信号は、下りリンク１０３における伝送路状況およびプレコーディング部２０４によるプレコーディング重みの等化チャネルを推定することができる。すなわち、基地局１０１は、端末１０２に対して、プレコーディング部２０４によるプレコーディング重みを通知する必要が無く、プレコーディング処理された信号を復調することができる。また、第２の制御チャネル領域に制御チャネルがマッピングされる場合は、その制御チャネルは、基地局１０１においてデータチャネルと同様にプレコーディング処理が行われる。また、その制御チャネルは、端末１０２においてデータチャネルと同様に、端末固有参照信号により伝送路状況が推定され、復調処理が行われる。
【００３３】
セル固有参照信号多重部２０５は、基地局１０１と端末１０２との間の下りリンク１０３の伝送路状況を測定するために、基地局１０１および端末１０２で互いに既知のセル固有参照信号（伝送路状況測定用参照信号、ＣＲＳ（Ｃｏｍｍｏｎ  ＲＳ）、Ｃｅｌｌ−ｓｐｅｃｉｆｉｃ  ＲＳ、Ｎｏｎ−ｐｒｅｃｏｄｅｄ  ＲＳ、セル固有制御チャネル復調用参照信号）を生成する。生成されたセル固有参照信号は、プレコーディング部２０４によりプレコーディング処理されたデータチャネルおよび端末固有参照信号に多重される。
【００３４】
ここで、セル固有参照信号は、基地局１０１および端末１０２が共に既知の信号であれば、任意の信号（系列）を用いることができる。例えば、基地局１０１に固有の番号（セルＩＤ）などの予め割り当てられているパラメータに基づいた乱数や疑似雑音系列を用いることができる。また、アンテナポート間で直交させる方法として、伝送路状況測定用参照信号をマッピングするリソースエレメントをアンテナポート間で互いにヌル（ゼロ）とする方法、疑似雑音系列を用いた符号分割多重する方法、またはそれらを組み合わせた方法などを用いることができる。なお、伝送路状況測定用参照信号は、全てのサブフレームに多重しなくてもよく、一部のサブフレームのみに多重してもよい。
【００３５】
また、セル固有参照信号は、プレコーディング部２０４によるプレコーディング処理の後に多重される参照信号である。そのため、端末１０２は、セル固有参照信号を用いて、基地局１０１と端末１０２との間の下りリンク１０３の伝送路状況を測定することができ、プレコーディング部２０４によるプレコーディング処理がされていない信号を復調することができる。
【００３６】
送信信号生成部２０６は、セル固有参照信号多重部２０５が出力した信号を、それぞれのアンテナポートのリソースエレメントにマッピング処理を行う。具体的には、送信信号生成部２０６は、データチャネルは後述する共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）領域にマッピングし、第２の制御チャネル領域を通じて送信する制御チャネルは第２の制御チャネル領域にマッピングする。さらに、送信信号生成部２０６は、後述する第１の制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）領域に制御チャネルをマッピングする場合、その制御チャネルをセル固有参照信号多重部２０５が出力した信号に多重する。ここで、基地局１０１は、第１の制御チャネル領域または第２の制御チャネル領域に、複数の端末宛の制御チャネルをマッピングすることができる。
【００３７】
送信部２０７は、逆高速フーリエ変換（ＩＦＦＴ；Ｉｎｖｅｒｓｅ  Ｆａｓｔ  Ｆｏｕｒｉｅｒ  Ｔｒａｎｓｆｏｒｍ）、ガードインターバルの付加、無線周波数への変換処理等を行った後、少なくとも１つの送信アンテナ数（送信アンテナポート数）の送信アンテナから送信する。
【００３８】
図３は、本発明の第１の実施形態に係る端末１０２の構成を示す概略ブロック図である。図３において、端末１０２は、受信部３０１、受信信号処理部３０２、制御チャネル処理部３０３、データチャネル処理部３０４、上位レイヤー３０５を備えている。
【００３９】
受信部３０１は、少なくとも１つの受信アンテナ数（受信アンテナポート数）の受信アンテナにより、基地局１０１が送信した信号を受信し、無線周波数からベースバンド信号への変換処理、付加されたガードインターバルの除去、高速フーリエ変換（ＦＦＴ；Ｆａｓｔ  Ｆｏｕｒｉｅｒ  Ｔｒａｎｓｆｏｒｍ）などによる時間周波数変換処理を行う。
【００４０】
受信信号処理部３０２は、基地局１０１でマッピングした信号をデマッピング（分離）する。具体的には、受信信号処理部３０２は、第１の制御チャネルや第２の制御チャネル領域にマッピングされた第１の制御チャネルや第２の制御チャネルと、データチャネル領域にマッピングされたデータチャネルをデマッピングする。
【００４１】
制御チャネル処理部３０３は、第１の制御チャネル領域または第２の制御チャネル領域にマッピングされた端末１０２宛の制御チャネルを探索し、検出する。ここで、制御チャネル処理部３０３は、制御チャネルを探索する制御チャネル領域として、第１の制御チャネル領域または第２の制御チャネル領域を設定する。その制御チャネル領域の設定方法は、基地局１０１が、端末１０２に対して通知する上位層の制御情報（例えば、ＲＲＣ（Ｒａｄｉｏ  Ｒｅｓｏｕｒｃｅ  Ｃｏｎｔｒｏｌ）シグナリング）である第２の制御チャネルの端末固有設定情報を通じて、端末１０２に対して第２の制御チャネルを設定するか否かで決定する。
【００４２】
すなわち、基地局１０１によって、第２の制御チャネルの端末固有設定情報が通知され、第２の制御チャネルが設定される場合、端末１０２は、第２の制御チャネルにマッピングされた端末１０２宛の制御チャネルを探索し、検出する。また、基地局１０１によって、第２の制御チャネルの端末固有設定情報が通知されず、第２の制御チャネルが設定されない場合、端末１０２は、第１の制御チャネルにマッピングされた端末１０２宛の制御チャネルを探索し、検出する。
【００４３】
ここで、制御チャネル処理部３０３は、第２の制御チャネル領域にマッピングされた端末１０２宛の制御チャネルを復調する場合、端末固有参照信号を用いる。また、制御チャネル処理部３０３は、第１の制御チャネル領域にマッピングされた端末１０２宛の制御チャネルを復調する場合、セル固有参照信号を用いる。
【００４４】
また、制御チャネル処理部３０３は、設定された制御チャネル領域の中から端末１０２宛の制御チャネルを探索し、識別する。具体的には、制御情報の種類、マッピングされるリソースの位置、マッピングされるリソースの大きさ等に基づいて得られる制御チャネルの候補の全部または一部を、復調および復号処理を行い、逐次探索する。制御チャネル処理部３０３は、端末１０２宛の制御情報か否かを判定する方法として、制御情報に付加される誤り検出符号（例えば、ＣＲＣ（Ｃｙｃｌｉｃ  Ｒｅｄｕｎｄａｎｃｙ  Ｃｈｅｃｋ）符号）を用いる。また、このような探索方法は、ブラインドデコーディングとも呼ばれる。
【００４５】
また、受信信号処理部３０２は、検出された制御チャネルを識別し、デマッピングされたデータチャネルに端末１０２宛のデータチャネルが含まれる場合、そのデータチャネルをデータチャネル処理部３０４に出力する。また、制御情報信号は、端末１０２全体（上位層も含む）で共有され、データチャネルの復調など、端末１０２における様々な制御に用いる。
【００４６】
データチャネル処理部３０４は、入力されたデータチャネルに対して、伝搬路推定処理、伝搬路補償処理（フィルタ処理）、レイヤーデマッピング処理、復調処理、デスクランブル処理、復号処理などを行い、上位レイヤー３０５に出力する。伝搬路推定処理では、入力されたデータチャネルに多重された端末固有参照信号に基づいて、各レイヤー（ランク、空間多重）に対する、それぞれのリソースエレメントにおける振幅と位相の変動（周波数応答、伝達関数）を推定（伝搬路推定）し、伝搬路推定値を求める。なお、端末固有参照信号がマッピングされていないリソースエレメントは、端末固有参照信号がマッピングされたリソースエレメントに基づいて、周波数方向および時間方向に補間し、伝搬路推定を行う。伝搬路補償処理では、入力されたデータチャネルに対して、推定された伝搬路推定値を用いて、伝搬路補償を行い、レイヤー毎のデータチャネルを検出（復元）する。その検出方法としては、ＺＦ（Ｚｅｒｏ  Ｆｏｒｃｉｎｇ）基準やＭＭＳＥ（Ｍｉｎｉｍｕｍ  Ｍｅａｎ  Ｓｑｕａｒｅ  Ｅｒｒｏｒ）基準の等化、干渉除去などを用いることができる。レイヤーデマッピング処理では、レイヤー毎の信号をそれぞれのコードワードにデマッピング処理を行う。以降、コードワード毎に処理を行う。復調処理では、用いた変調方式に基づいて復調を行う。デスクランブル処理では、用いたスクランブル符号に基づいて、デスクランブル処理を行う。復号処理では、施した符号化方法に基づいて、誤り訂正復号処理を行う。
【００４７】
図４は、基地局１０１がマッピングする１つのリソースブロックペアの一例を示す図である。図４は、２つのリソースブロック（ＲＢ；Ｒｅｓｏｕｒｃｅ  Ｂｌｏｃｋ、リソースブロックペア）を表しており、１つのリソースブロックは周波数方向に１２のサブキャリアと時間方向に７のＯＦＤＭシンボルで構成される。１つのＯＦＤＭシンボルのうち、それぞれのサブキャリアをリソースエレメントと呼ぶ。リソースブロックペアは周波数方向に並べられ、そのリソースブロックペアの数は基地局毎に設定できる。例えば、そのリソースブロックペアの数は６〜１１０個に設定できる。その時の周波数方向の幅は、システム帯域幅と呼ばれる。また、リソースブロックペアの時間方向は、サブフレームと呼ばれる。それぞれのサブフレームのうち、時間方向に前後の７つのＯＦＤＭシンボルをそれぞれスロットとも呼ぶ。また、以下の説明では、リソースブロックペアは、単にリソースブロックとも呼ばれる。
【００４８】
網掛けしたリソースエレメントのうち、Ｒ０〜Ｒ１は、それぞれアンテナポート０〜１のセル固有参照信号を示す。ここで、図４に示すセル固有参照信号は、２つのアンテナポートの場合であるが、その数を変えることができ、例えば、１つのアンテナポートや４つのアンテナポートに対するセル固有参照信号をマッピングすることができる。また、セル固有参照信号は、最大４つのアンテナポート（アンテナポート０〜３）に設定できる。
【００４９】
網掛けしたリソースエレメントのうち、Ｄ１〜Ｄ２は、それぞれＣＤＭ（Ｃｏｄｅ  Ｄｉｖｉｓｉｏｎ  Ｍｕｌｔｉｐｌｅｘｉｎｇ）グループ１〜ＣＤＭグループ２の端末固有参照信号を示す。また、ＣＤＭグループ１およびＣＤＭグループ２の端末固有参照信号はそれぞれＷａｌｓｈ符号等の直交符号によりＣＤＭされる。また、ＣＤＭグループ１およびＣＤＭグループ２の端末固有参照信号は互いにＦＤＭ（Ｆｒｅｑｕｅｎｃｙ  Ｄｉｖｉｓｉｏｎ  Ｍｕｌｔｉｐｌｅｘｉｎｇ）される。ここで、端末固有参照信号は、そのリソースブロックペアにマッピングする制御チャネルやデータチャネルに応じて、８つのアンテナポート（アンテナポート７〜１４）を用いて、最大８ランクまでマッピングすることができる。また、端末固有参照信号は、マッピングするランク数に応じて、ＣＤＭの拡散符号長やマッピングされるリソースエレメントの数を変えることができる。
【００５０】
例えば、ランク数が１〜２の場合における端末固有参照信号は、アンテナポート７〜８として、２チップの拡散符号長により構成され、ＣＤＭグループ１にマッピングされる。ランク数が３〜４の場合における端末固有参照信号は、アンテナポート７〜８に加えて、アンテナポート９〜１０として、２チップの拡散符号長により構成され、ＣＤＭグループ２にさらにマッピングされる。ランク数が５〜８の場合における端末固有参照信号は、アンテナポート７〜１４として、４チップの拡散符号長により構成され、ＣＤＭグループ１およびＣＤＭグループ２にマッピングされる。
【００５１】
また、端末固有参照信号において、各アンテナポートの直交符号は、スクランブル符号がさらに重畳される。このスクランブル符号は、基地局１０１から通知されるセルＩＤおよびスクランブルＩＤに基づいて生成される。例えば、スクランブル符号は、基地局１０１から通知されるセルＩＤおよびスクランブルＩＤに基づいて生成される擬似雑音系列から生成される。例えば、スクランブルＩＤは、０または１を示す値である。また、用いられるスクランブルＩＤおよびアンテナポートは、ジョイントコーディングされ、それらを示す情報がインデックス化されることもできる。
【００５２】
網掛けしたリソースエレメントのうち、先頭の１〜３番目のＯＦＤＭシンボルで構成される領域には、第１の制御チャネルが配置される領域として設定される。また、第１の制御チャネルが配置される領域は、サブフレーム毎にそのＯＦＤＭシンボル数を設定することができる。また、白く塗りつぶされたリソースエレメントは、第２の制御チャネルまたは共有チャネルが配置される領域を示す。また、第２の制御チャネルまたは共有チャネルが配置される領域は、リソースブロックペア毎に設定することができる。また、第２の制御チャネル領域にマッピングされる制御チャネルや共有チャネル領域にマッピングされるデータチャネルのランク数と、第１の制御チャネル領域にマッピングされる制御チャネルのランク数は、それぞれ異なって設定されることができる。
【００５３】
ここで、リソースブロックは、通信システムが用いる周波数帯域幅（システム帯域幅）に応じて、その数を変えることができる。例えば、６〜１１０個のリソースブロックを用いることができ、その単位をコンポーネントキャリアとも呼ぶ。さらに、基地局は、端末に対して、周波数アグリゲーションにより、複数のコンポーネントキャリアを設定することもできる。例えば、基地局は、端末に対して、１つのコンポーネントキャリアは２０ＭＨｚで構成し、周波数方向に連続および／または非連続に、５個のコンポーネントキャリアを設定し、トータルの通信システムが用いることができる帯域幅を１００ＭＨｚにすることができる。
【００５４】
図５は、基地局１０１がマッピングするチャネルの一例を示す図である。図５は、１２のリソースブロックペアで構成される周波数帯域をシステム帯域幅とする場合を示す。第１の制御チャネルであるＰＤＣＣＨは、サブフレームにおける先頭の１〜３のＯＦＤＭシンボルに配置される。第１の制御チャネルの周波数方向は、システム帯域幅に渡って配置される。また、共有チャネルは、サブフレームにおいて、第１の制御チャネル以外のＯＦＤＭシンボルに配置される。
【００５５】
ここで、ＰＤＣＣＨの構成の詳細について説明する。ＰＤＣＣＨは、複数の制御チャネルエレメント（ＣＣＥ；Ｃｏｎｔｒｏｌ  Ｃｈａｎｎｅｌ  Ｅｌｅｍｅｎｔ）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局の送信アンテナの数に応じた下りリンク参照信号（セル固有参照信号）の送信ポート数に依存する。ＣＣＥは、複数の下りリンクリソースエレメント（１つのＯＦＤＭシンボルおよび１本のサブキャリアで規定されるリソース）により構成される。
【００５６】
基地局と端末との間で用いられるＣＣＥには、ＣＣＥを識別するための番号が付与されている。ＣＣＥの番号付けは、予め決められた規則に基づいて行なわれる。ここで、ＣＣＥ＿ｔは、ＣＣＥ番号ｔのＣＣＥを示す。ＰＤＣＣＨは、複数のＣＣＥからなる集合（ＣＣＥ  Ａｇｇｒｅｇａｔｉｏｎ）により構成される。この集合を構成するＣＣＥの数を、「ＣＣＥ集合レベル」（ＣＣＥ  ａｇｇｒｅｇａｔｉｏｎ  ｌｅｖｅｌ）と称す。ＰＤＣＣＨを構成するＣＣＥ集合レベルは、ＰＤＣＣＨに設定される符号化率、ＰＤＣＣＨに含められるＤＣＩのビット数に応じて基地局において設定される。なお、端末に対して用いられる可能性のあるＣＣＥ集合レベルの組み合わせは予め決められている。また、ｎ個のＣＣＥからなる集合を、「ＣＣＥ集合レベルｎ」という。
【００５７】
１個のリソースエレメントグループは周波数領域の隣接する４個の下りリンクリソースエレメントにより構成される。さらに、１個のＣＣＥは、周波数領域及び時間領域に分散した９個の異なるリソースエレメントグループにより構成される。具体的には、下りリンクコンポーネントキャリア全体に対して、番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【００５８】
各端末には、ＰＤＣＣＨを検索する領域ＳＳ（Ｓｅａｒｃｈ  Ｓｐａｃｅ）が設定される。ＳＳは、複数のＣＣＥから構成される。最も小さいＣＣＥから番号の連続する複数のＣＣＥからＳＳは構成され、番号の連続する複数のＣＣＥの数は予め決められている。各ＣＣＥ集合レベルのＳＳは、複数のＰＤＣＣＨの候補の集合体により構成される。ＳＳは、最も小さいＣＣＥから番号がセル内で共通であるＣＳＳ（Ｃｅｌｌ−ｓｐｅｃｉｆｉｃ  ＳＳ）と、最も小さいＣＣＥから番号が端末固有であるＵＳＳ（ＵＥ−ｓｐｅｃｉｆｉｃ  ＳＳ）とに分類される。ＣＳＳには、システム情報あるいはページングに関する情報など、複数の端末が読む制御情報が割り当てられたＰＤＣＣＨ、あるいは下位の送信方式へのフォールバックやランダムアクセスの指示を示す下りリンク／上りリンクグラントが割り当てられたＰＤＣＣＨを配置することができる。
【００５９】
基地局は、端末において設定されるＳＳ内の１個以上のＣＣＥを用いてＰＤＣＣＨを送信する。端末は、ＳＳ内の１個以上のＣＣＥを用いて受信信号の復号を行ない、自身宛てのＰＤＣＣＨを検出するための処理を行なう（ブラインドデコーディングと呼称する）。端末は、ＣＣＥ集合レベル毎に異なるＳＳを設定する。その後、端末は、ＣＣＥ集合レベル毎に異なるＳＳ内の予め決められた組み合わせのＣＣＥを用いてブラインドデコーディングを行なう。言い換えると、端末は、ＣＣＥ集合レベル毎に異なるＳＳ内の各ＰＤＣＣＨの候補に対してブラインドデコーディングを行なう。端末におけるこの一連の処理をＰＤＣＣＨのモニタリングという。
【００６０】
第２の制御チャネル領域にマッピングされる第２の制御チャネル（Ｘ−ＰＤＣＣＨ、ＰＤＣＣＨ  ｏｎ  ＰＤＳＣＨ、Ｅｘｔｅｎｄｅｄ  ＰＤＣＣＨ）は、第１の制御チャネル領域以外のＯＦＤＭシンボルに配置される。第２の制御チャネル領域と共有チャネル領域は、異なるリソースブロックに配置される。また、第２の制御チャネル領域と共有チャネル領域が配置されうるリソースブロックは、端末毎に設定される。また、第２の制御チャネルが配置されるＯＦＤＭシンボルのスタート位置は、共有チャネルと同様の方法を用いることができる。すなわち、基地局１０１は、第１の制御チャネル領域の一部のリソースをＰＣＦＩＣＨ（Ｐｈｙｓｉｃａｌ  ｃｏｎｔｒｏｌ  ｆｏｒｍａｔ  ｉｎｄｉｃａｔｏｒ  ｃｈａｎｎｅｌ）として設定し、第１の制御チャネル領域のＯＦＤＭシンボル数を示す情報をマッピングすることで実現できる。
【００６１】
また、第２の制御チャネル領域が配置されるＯＦＤＭシンボルのスタート位置は、予め規定しておき、例えば、サブフレームにおける先頭の４番目のＯＦＤＭシンボルとすることができる。そのとき、第１の制御チャネル領域のＯＦＤＭシンボルの数が２以下である場合、第２の制御チャネル領域が配置されるリソースブロックペアにおける２〜３番目のＯＦＤＭシンボルは、信号をマッピングせずにヌルとする。なお、ヌルとして設定されたリソースは、他の制御チャネルやデータチャネルをさらにマッピングすることができる。また、第２の制御チャネル領域を設定するＯＦＤＭシンボルのスタート位置は、上位層の制御情報を通じて設定されることができる。また、図５に示すサブフレームは時間多重され、第２の制御チャネル領域はサブフレーム毎に設定できる。
【００６２】
Ｘ−ＰＤＣＣＨを検索するためのＳＳとして、ＰＤＣＣＨと同様に複数のＣＣＥからＳＳを構成することができる。すなわち、図５に示した第２の制御チャネルの領域として設定された領域内の複数のリソースエレメントからリソースエレメントグループを構成し、さらに複数のリソースエレメントからＣＣＥを構成する。これにより、上記のＰＤＣＣＨの場合と同様にＸ−ＰＤＣＣＨを検索（モニタリング）するためのＳＳを構成することができる。
【００６３】
あるいは、Ｘ−ＰＤＣＣＨを検索するためのＳＳとして、ＰＤＣＣＨとは異なり、１つ以上のリソースブロックからＳＳを構成することができる。すなわち、図５に示した第２の制御チャネルの領域として設定された領域内のリソースブロックを単位とし、１つ以上のリソースブロックからなる集合（ＲＢ  Ａｇｇｒｅｇａｔｉｏｎ）により構成される。この集合を構成するＲＢの数を、「ＲＢ集合レベル」（ＲＢ  ａｇｇｒｅｇａｔｉｏｎ  ｌｅｖｅｌ）と称す。最も小さいＲＢから番号の連続する複数のＲＢからＳＳは構成され、番号の連続する１つ以上のＲＢの数は予め決められている。各ＲＢ集合レベルのＳＳは、複数のＸ−ＰＤＣＣＨの候補の集合体により構成される。
【００６４】
基地局は、端末において設定されるＳＳ内の１個以上のＲＢを用いてＸ−ＰＤＣＣＨを送信する。端末は、ＳＳ内の１個以上のＲＢを用いて受信信号の復号を行ない、自身宛てのＸ−ＰＤＣＣＨを検出するための処理を行なう（ブラインドデコーディングする）。端末は、ＲＢ集合レベル毎に異なるＳＳを設定する。その後、端末は、ＲＢ集合レベル毎に異なるＳＳ内の予め決められた組み合わせのＲＢを用いてブラインドデコーディングを行なう。言い換えると、端末は、ＲＢ集合レベル毎に異なるＳＳ内の各Ｘ−ＰＤＣＣＨの候補に対してブラインドデコーディングを行なう（Ｘ−ＰＤＣＣＨをモニタリングする）。
【００６５】
基地局１０１が端末１０２に対して第２の制御チャネル領域を通じて制御チャネルを通知する場合、基地局１０１は端末１０２に対して第２の制御チャネルのモニタリングを設定し、第２の制御チャネル領域に端末１０２に対する制御チャネルをマッピングする。また、基地局１０１が端末１０２に対して第１の制御チャネル領域を通じて制御チャネルを通知する場合、基地局１０１は端末１０２に対して第２の制御チャネルのモニタリングを設定せずに、第１の制御チャネル領域に端末１０２に対する制御チャネルをマッピングする。
【００６６】
一方、端末１０２は、基地局１０１によって第２の制御チャネルのモニタリングが設定された場合、第２の制御チャネル領域における端末１０２宛の制御チャネルをブラインドデコーディングする。また、端末１０２は、基地局１０１によって第２の制御チャネルのモニタリングが設定されない場合、第２の制御チャネルにおける端末１０２宛の制御チャネルをブラインドデコーディングしない。
【００６７】
以下では、第２の制御チャネル領域にマッピングされる制御チャネルについて説明する。第２の制御チャネル領域にマッピングされる制御チャネルは、１つの端末に対する制御情報毎に処理され、データチャネルと同様に、スクランブル処理、変調処理、レイヤーマッピング処理、プレコーディング処理等が行われる。また、第２の制御チャネル領域にマッピングされる制御チャネルは、端末固有参照信号と共に、端末１０２に固有のプレコーディング処理が行われる。そのとき、プレコーディング処理は、端末１０２に好適なプレコーディング重みにより行われることが好ましい。
【００６８】
また、１つ以上のリソースブロックからＳＳを構成する場合、第２の制御チャネル領域にマッピングされる制御チャネルは、サブフレームにおける前方のスロット（第１のスロット）と後方のスロット（第２のスロット）でそれぞれ異なる制御情報を含めてマッピングされることができる。例えば、サブフレームにおける前方のスロットには、基地局１０１が端末１０２に対して送信する下りリンク共有チャネルにおける割り当て情報（下りリンク割り当て情報）を含む制御チャネルがマッピングされる。また、サブフレームにおける後方のスロットには、端末１０２が基地局１０１に対して送信する上りリンク共有チャネルにおける割り当て情報（上りリンク割り当て情報）を含む制御チャネルがマッピングされる。なお、サブフレームにおける前方のスロットには、基地局１０１が端末１０２に対する上りリンク割り当て情報を含む制御チャネルがマッピングされ、サブフレームにおける後方のスロットには、端末１０２が基地局１０１に対する下りリンク割り当て情報を含む制御チャネルがマッピングされてもよい。
【００６９】
また、第２の制御チャネルにおける前方および／または後方のスロットには、端末１０２または他の端末に対するデータチャネルがマッピングされてもよい。また、第２の制御チャネルにおける前方および／または後方のスロットには、端末１０２または第２の制御チャネルが設定された端末（端末１０２を含む）に対する制御チャネルがマッピングされてもよい。
【００７０】
また、第２の制御チャネル領域にマッピングされる制御チャネルには、基地局１０１によって、端末固有参照信号が多重される。端末１０２は、第２の制御チャネル領域にマッピングされる制御チャネルを、多重される端末固有参照信号によって復調処理を行う。また、アンテナポート７〜１４の一部または全部の端末固有参照信号が用いられる。そのとき、第２の制御チャネル領域にマッピングされる制御チャネルは、複数のアンテナポートを用いてＭＩＭＯ送信することができる。
【００７１】
例えば、第２の制御チャネル領域における端末固有参照信号は、予め規定されたアンテナポートおよびスクランブル符号を用いて送信される。具体的には、第２の制御チャネル領域における端末固有参照信号は、予め規定されたアンテナポート７およびスクランブルＩＤを用いて生成される。
【００７２】
また、例えば、第２の制御チャネル領域における端末固有参照信号は、ＲＲＣシグナリングまたはＰＤＣＣＨシグナリングを通じて通知されるアンテナポートおよびスクランブルＩＤを用いて生成される。具体的には、第２の制御チャネル領域における端末固有参照信号が用いるアンテナポートとして、ＲＲＣシグナリングまたはＰＤＣＣＨシグナリングを通じて、アンテナポート７またはアンテナポート８のいずれかが通知される。第２の制御チャネル領域における端末固有参照信号が用いるスクランブルＩＤとして、ＲＲＣシグナリングまたはＰＤＣＣＨシグナリングを通じて、０〜３のいずれかの値が通知される。
【００７３】
以下では、基地局１０１が端末１０２に対する第２の制御チャネルの設定方法（第２の制御チャネル領域の設定方法・第２の制御チャネルのモニタリングの設定方法）の一例として、第２の制御チャネル領域の設定および送信モードの設定が、黙示的に第２の制御チャネルのモニタリングの設定を示す。基地局１０１は、端末１０２に対して、上位層の制御情報を通じて、無線リソースに対する端末固有設定情報（ＲａｄｉｏＲｅｓｏｕｒｃｅＣｏｎｆｉｇＤｅｄｉｃａｔｅｄ）を通知することにより、第２の制御チャネルを設定する。無線リソースに対する端末固有設定情報は、リソースブロックの設定／変更／解放、物理チャネルに対する端末固有の設定等を行うために用いられる制御情報である。
【００７４】
図６は、無線リソースに対する端末固有設定情報を設定するためのフローを示す図である。基地局１０１は、端末１０２に対して、無線リソースに対する端末固有設定情報を通知する。端末１０２は、基地局１０１からの無線リソースに対する端末固有設定情報に基づいて、無線リソースに対する端末固有の設定を行い、基地局１０１に対して無線リソースに対する端末固有設定情報の設定完了を通知する。
【００７５】
図７は、無線リソースに対する端末固有設定情報の一例を示す図である。無線リソースに対する端末固有設定情報は、物理チャネルに対する端末固有設定情報（ＰｈｙｓｉｃａｌＣｏｎｆｉｇＤｅｄｉｃａｔｅｄ）を含んで構成される。物理チャネルに対する端末固有設定情報は、物理チャネルに対する端末固有の設定を規定する制御情報である。物理チャネルに対する端末固有設定情報は、伝送路状況レポートの設定情報（ＣＱＩ−ＲｅｐｏｒｔＣｏｎｆｉｇ）、アンテナ情報の端末固有設定情報（ＡｎｔｅｎｎａＩｎｆｏＤｅｄｉｃａｔｅｄ）、第２の制御チャネルの端末固有設定情報（ＸＰＤＣＣＨ−ＣｏｎｆｉｇＤｅｄｉｃａｔｅｄ）を含んで構成される。伝送路状況レポートの設定情報は、下りリンク１０３における伝送路状況をレポートするための設定情報を規定するために用いられる。アンテナ情報の端末固有設定情報は、基地局１０１における端末固有のアンテナ情報を規定するために用いられる。第２の制御チャネルの端末固有設定情報は、第２の制御チャネルの端末固有の設定情報を規定するために用いられる。
【００７６】
伝送路状況レポートの設定情報は、非周期的な伝送路状況レポートの設定情報（ｃｑｉ−ＲｅｐｏｒｔＭｏｄｅＡｐｅｒｉｏｄｉｃ）、周期的な伝送路状況レポートの設定情報（ＣＱＩ−ＲｅｐｏｒｔＰｅｒｉｏｄｉｃ）を含んで構成される。非周期的な伝送路状況レポートの設定情報は、上りリンク共有チャネル（ＰＵＳＣＨ；Ｐｈｙｓｉｃａｌ  Ｕｐｌｉｎｋ  Ｓｈａｒｅｄ  Ｃｈａｎｎｅｌ）を通じて、下りリンク１０３における伝送路状況を非周期的にレポートするための設定情報である。周期的な伝送路状況レポートの設定情報は、上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）を通じて、下りリンク１０３における伝送路状況を周期的にレポートするための設定情報である。
【００７７】
アンテナ情報の端末固有設定情報は、送信モード（ｔｒａｎｓｍｉｓｓｉｏｎＭｏｄｅ）を含んで構成される。送信モードは、基地局１０１が端末１０２に対して通信する送信方法を示す情報である。例えば、送信モードは、送信モード１〜１０として予め規定される。送信モード１はアンテナポート０を用いるシングルアンテナポート送信方式を用いる送信モードである。送信モード２は送信ダイバーシチ方式を用いる送信モードである。送信モード３は、循環遅延ダイバーシチ方式を用いる送信モードである。送信モード４は、閉ループ空間多重方式を用いる送信モードである。送信モード５は、マルチユーザＭＩＭＯ方式を用いる送信モードである。送信モード６は、シングルアンテナポートを用いる閉ループ空間多重方式を用いる送信モードである。送信モード７は、アンテナポート５を用いるシングルアンテナポート送信方式を用いる送信モードである。送信モード８は、アンテナポート７〜８を用いる閉ループ空間多重方式を用いる送信モードである。送信モード９は、アンテナポート７〜１４を用いる閉ループ空間多重方式を用いる送信モードである。また、送信モード１〜９は、第１の送信モードとも呼ばれる。
【００７８】
送信モード１０は、送信モード１〜９とは異なる送信モードとして定義される。例えば、送信モード１０は、ＣｏＭＰ方式を用いる送信モードとすることができる。ここで、ＣｏＭＰ方式の導入による拡張は、伝送路状況レポートの最適化や精度の向上（例えば、ＣｏＭＰ通信時に好適なプレコーディング情報や基地局間の位相差情報等の導入）等を含む。また、送信モード１０は、送信モード１〜９で示す通信方式で実現できるマルチユーザＭＩＭＯ方式を拡張（高度化）した通信方式を用いる送信モードとすることができる。ここで、マルチユーザＭＩＭＯ方式の拡張は、伝送路状況のレポートの最適化や精度の向上（例えば、マルチユーザＭＩＭＯ通信時に好適なＣＱＩ（Ｃｈａｎｎｅｌ  Ｑｕａｌｉｔｙ  Ｉｎｄｉｃａｔｏｒ）情報等の導入）、同一リソースに多重される端末間の直交性の向上等を含む。
【００７９】
また、送信モード１０は、送信モード１〜９で示した全部または一部の通信方式に加えて、ＣｏＭＰ方式および／または拡張したマルチユーザＭＩＭＯ方式を用いる送信モードとすることができる。例えば、送信モード１０は、送信モード９で示した通信方式に加えて、ＣｏＭＰ方式および／または拡張したマルチユーザＭＩＭＯ方式を用いる送信モードとすることができる。また、送信モード１０は、複数の伝送路状況測定用の参照信号（ＣＳＩ−ＲＳ；Ｃｈａｎｎｅｌ  Ｓｔａｔｅ  Ｉｎｆｏｒｍａｔｉｏｎ−ＲＳ）を設定することができる送信モードとすることができる。また、送信モード１０は、第２の送信モードとも呼ばれる。
【００８０】
なお、基地局は、複数の送信方式を用いることができる送信モード１０に設定した端末に対して、データチャネルを送信するに際し、複数の送信方式のいずれかを用いたことを通知しなくても通信できる。すなわち、端末は、複数の送信方式を用いることができる送信モード１０に設定されたとしても、データチャネルを受信するに際し、複数の送信方式のいずれかを用いたことが通知されなくても通信できる。
【００８１】
ここで、第２の送信モードは、第２の制御チャネルを設定できる送信モードである。すなわち、基地局１０１は、端末１０２に対して、第１の送信モードに設定した場合、端末１０２に対する制御チャネルを第１の制御チャネル領域にマッピングする。また、基地局１０１は、端末１０２に対して、第２の送信モードに設定した場合、端末１０２に対する制御チャネルを第１の制御チャネル領域または第２の制御チャネル領域にマッピングする。一方、端末１０２は、基地局１０１によって、第１の送信モードに設定された場合、第１の制御チャネルに対してブラインドデコーディングする。また、端末１０２は、基地局１０１によって、第２の送信モードに設定された場合、第１の制御チャネルまたは第２の制御チャネルのいずれかに対してブラインドデコーディングする。
【００８２】
また、端末１０２は、第２の送信モードに設定された場合、基地局１０１によって第２の制御チャネルの端末固有設定情報が設定されたか否かに基づいて、ブラインドデコーディングする制御チャネルを切り替える（選択する）。すなわち、端末１０２は、基地局１０１によって、第２の送信モードに設定され、第２の制御チャネルの端末固有設定情報が設定された場合、第２の制御チャネルをブラインドデコーディングする。また、端末１０２は、基地局１０１によって、第２の送信モードに設定され、第２の制御チャネルの端末固有設定情報が設定されない場合、第１の制御チャネルをブラインドデコーディングする。
【００８３】
また、端末１０２は、基地局１０１によって、第２の送信モードに設定され、第２の制御チャネルの端末固有設定情報が設定された後に、第１の送信モードに設定された場合、第１の制御チャネルをブラインドデコーディングする。なお、端末１０２は、基地局１０１によって、第２の送信モードに設定され、第２の制御チャネルの端末固有設定情報が設定された後に、一部または全部の第１の送信モードに設定された場合、第２の制御チャネルをブラインドデコーディングするようにしてもよい。
【００８４】
なお、第２の制御チャネルを設定できる送信モード（第２の送信モード）は、端末固有参照信号を用いることができる送信モードの一部または全部としてもよく、例えば、送信モード８〜１０であってもよい。また、第１の制御チャネルのみを設定できる送信モード（第１の送信モード）は、端末固有参照信号を用いることができない送信モードの一部または全部としてもよく、例えば、送信モード１〜７であってもよい。
【００８５】
図８は、第２の制御チャネルの端末固有設定情報の一例を示す図である。第２の制御チャネルの端末固有設定情報は、第２の制御チャネルのサブフレーム設定情報（ＸＰＤＣＣＨ−ＳｕｂｆｒａｍｅＣｏｎｆｉｇ−ｒ１１）を含んで構成される。第２の制御チャネルのサブフレーム設定情報は、第２の制御チャネルを設定するためのサブフレーム情報を規定するために用いられる。第２の制御チャネルのサブフレーム設定情報は、サブフレーム設定パターン（ｓｕｂｆｒａｍｅＣｏｎｆｉｇＰａｔｔｅｒｎ−ｒ１１）、第２の制御チャネルの設定情報（ｘｐｄｃｃｈ−Ｃｏｎｆｉｇ−ｒ１１）を含んで構成される。
【００８６】
サブフレーム設定パターンは、第２の制御チャネルを設定するサブフレームを示す情報である。例えば、サブフレーム設定パターンは、ｎビットのビットマップ形式の情報である。各ビットに示す情報は、第２の制御チャネルとして設定されるサブフレームであるか否かを示す。すなわち、サブフレーム設定パターンは、ｎ個のサブフレームを周期として設定できる。そのとき、同期信号や報知チャネル等がマッピングされる所定のサブフレームは除外されることができる。具体的には、それぞれのサブフレームに規定されるサブフレーム番号をｎで除算した余りが、サブフレーム設定パターンの各ビットに対応する。例えば、ｎは８や４０等の値を予め規定しておく。サブフレーム設定パターンのあるサブフレームに対する情報が「１」である場合、そのサブフレームは、第２の制御チャネルとして設定される。サブフレーム設定パターンのあるサブフレームに対する情報が「０」である場合、そのサブフレームは、第２の制御チャネルとして設定されない。また、端末１０２が基地局１０１と同期を取るための同期信号や基地局１０１の制御情報を報知する報知チャネル等がマッピングされる所定のサブフレームは、第２の制御チャネルとして予め設定されないようにすることができる。また、サブフレーム設定パターンの別の例では、第２の制御チャネルとして設定されるサブフレームのパターンが予めインデックス化され、そのインデックスを示す情報がサブフレーム設定パターンとして規定される。
【００８７】
第２の制御チャネルの設定情報は、リソース割り当てタイプ（ｒｅｓｏｕｒｃｅＡｌｌｏｃａｔｉｏｎＴｙｐｅ−ｒ１１）、リソース割り当て情報（ｒｅｓｏｕｒｃｅＢｌｏｃｋＡｓｓｉｇｎｍｅｎｔ−ｒ１１）、ＯＦＤＭシンボルのスタート位置（ｘｐｄｃｃｈ−Ｓｔａｒｔ−ｒ１１）、応答信号の制御情報（ｐｕｃｃｈ−Ｃｏｎｆｉｇ−ｒ１１）を含んで構成される。
【００８８】
リソース割り当てタイプは、サブフレーム内において第２の制御チャネルとして設定するリソースブロックを指定する情報のフォーマット（タイプ）を示す情報である。また、リソース割り当て情報は、第２の制御チャネルとして設定するリソースブロックを指定する情報であり、リソース割り当てタイプのフォーマットに基づいて規定される。
【００８９】
例えば、リソース割り当てタイプは、タイプ０〜２を規定することができる。リソース割り当てタイプがタイプ０の場合、リソース割り当て情報は、複数の連続するリソースブロックを単位として規定されるリソースブロックグループ毎に割り当てることができるビットマップ形式の情報である。なお、リソースブロックグループのリソースブロック数は、システム帯域幅に応じて規定されることができる。リソース割り当てタイプがタイプ１の場合、リソース割り当て情報は、リソースブロックグループを単位として複数のサブセットに規定されるリソースブロックグループサブセットにおいて、複数のリソースブロックグループサブセット内のリソースブロック毎に割り当てることができるビットマップ形式の情報である。また、リソース割り当て情報は、選択されるリソースブロックグループサブセットを示す情報も含まれる。リソース割り当てタイプがタイプ１の場合、リソース割り当て情報は、連続するリソースブロックにおいて、割り当てのスタートとなるリソースブロックを示す情報と、割り当てるリソースブロック数を示す情報である。
【００９０】
ＯＦＤＭシンボルのスタート位置は、サブフレームにおいて、第２の制御チャネルのスタートとなるＯＦＤＭシンボルの位置を示す情報である。例えば、ＯＦＤＭシンボルのスタート位置は、１〜３のいずれかを示す。なお、図５における説明のように、第２の制御チャネルのＯＦＤＭシンボルのスタート位置は、ＰＣＦＩＣＨを通じて識別されるようにしてもよい。また、第２の制御チャネルのＯＦＤＭシンボルのスタート位置は、予め規定しておくことができ、その場合はＯＦＤＭシンボルのスタート位置を通知しなくてもよい。
【００９１】
応答信号の制御情報は、端末１０２が第２の制御チャネルで通知された制御情報によって示されるデータチャネルを正しく受信したか否かを示す応答信号（例えば、ＡＣＫ（Ａｃｋｎｏｗｌｅｄｇｅ）またはＮＡＣＫ（Ｎｅｇａｔｉｖｅ  ＡＣＫ）等）を通知する上りリンク制御チャネルのリソース割り当て情報である。
【００９２】
以上のように、基地局１０１は、端末１０２に対して、第２の制御チャネルを設定する場合、ＲＲＣシグナリングにより、無線リソースに対する端末固有設定情報に第２の制御チャネルの端末固有設定情報を含めて通知する。また、基地局１０１は、端末１０２に対して、設定された第２の制御チャネルを変更する場合、同様にＲＲＣシグナリングにより、パラメータを変更した第２の制御チャネルの端末固有設定情報を含む無線リソースに対する端末固有設定情報を通知する。また、基地局１０１は、端末１０２に対して、設定された第２の制御チャネルを解放（リリース）する場合、同様にＲＲＣシグナリングにより通知する。例えば、第２の制御チャネルの端末固有設定情報を含まない無線リソースに対する端末固有設定情報を通知する。また、第２の制御チャネルの端末固有設定情報を解放するための制御情報を通知してもよい。
【００９３】
図９は、端末１０２における制御チャネルおよびデータチャネルの受信処理のフローを示す図である。ステップＳ１０２において、端末１０２は、ＲＲＣシグナリングにより、無線リソースに対する端末固有設定情報を受信する。ステップＳ１０３において、端末１０２は、受信した無線リソースに対する端末固有設定情報の識別を行い、無線リソースにおける端末固有の設定処理を行う。ステップＳ１０４において、端末１０２は、無線リソースに対する端末固有設定情報に、第２の制御チャネルの端末固有設定情報が含まれるか否かを判定する。第２の制御チャネルの端末固有設定情報が含まれる場合、ステップＳ１０６において、端末１０２は、第２の制御チャネルの端末固有設定情報を識別し、第２の制御チャネルを設定する。ステップＳ１０７において、端末１０２は、設定された第２の制御チャネル領域において、端末１０２宛の制御チャネルを探索（ブラインドデコーディング）し、検出する。一方、第２の制御チャネルの端末固有設定情報が含まれない場合、ステップＳ１０５において、端末１０２は、予め設定されている第１の制御チャネルにおいて、端末１０２宛の制御チャネルを探索（ブラインドデコーディング）し、検出する。ステップＳ１０８において、端末１０２は、検出された制御チャネルを識別する。なお、ステップＳ１０８において、端末１０２宛の制御チャネルが検出できなかった場合は、そのサブフレームに対する受信処理を終了する。ステップＳ１０９において、端末１０２は、検出された制御チャネルに基づいて、データチャネルを受信するための設定を行い、データチャネルを受信する。
【００９４】
以上で説明した方法を用いることにより、基地局１０１は端末１０２に対する制御情報を効率的に通知することができる。すなわち、基地局１０１は、端末１０２に対して、第１の制御チャネル領域または第２の制御チャネル領域において、制御チャネルをマッピングすることができる。そのため、基地局１０１は、複数の端末に対して通知する制御チャネルを効率的にリソース割り当てのスケジューリングをすることができる。また、端末１０２は、基地局１０１によって、第１の制御チャネル領域または第２の制御チャネル領域を通じて、制御チャネルがマッピングされることができる。そのため、端末１０２は、制御チャネルを探索する候補数を削減でき、効率的な受信処理を行うことができる。
【００９５】
以上の例では、第１の制御チャネル領域には、送信モード１〜１０に設定される端末に対する制御チャネルがマッピングされ、第２の制御チャネル領域には、送信モード１０に設定される端末に対する制御チャネルがマッピングされることができる。すなわち、基地局１０１は、端末１０２に対して設定される送信モードに関わらず、第１の制御チャネル領域を通じて制御チャネルを通知できる。また、基地局１０１は、端末１０２に対して送信モード１０を設定する場合に、第２の制御チャネル領域を通じて制御チャネルを通知できる。そのため、基地局１０１は、送信モード１０で可能な通信方式を考慮したリソース割り当てのスケジューリングをすることができる。
【００９６】
特に、第２の制御チャネルを設定できる送信モード１０では、基地局１０１は、端末１０２に対して、ＣｏＭＰ通信方式やマルチユーザＭＩＭＯ通信方式等を行うことができるため、それらの通信方式を考慮したリソース割り当てのスケジューリングをすることができる。また、基地局１０１は、第１の制御チャネルを全ての端末に設定できるため、送信モード１０を設定できない端末に対する後方互換性を保つことができる。また、第１の制御チャネル領域による制御チャネルの通知は、第２の制御チャネルを設定することなく実現できるため、ＲＲＣシグナリングにおける制御情報のオーバーヘッドを低減できる。
【００９７】
基地局１０１は、第１の制御チャネルのみを用いるか、第２の制御チャネルを用いるかを切り替えて制御チャネルの通知を行い、端末１０２は、制御チャネルをモニタリングする（ブラインドデコーディングする）制御チャネル領域を基地局１０１の指示の下で切り替える。より具体的には、基地局１０１は、端末１０２宛の制御チャネルの送信に、第２の制御チャネル領域を用いるか否かを決定し、明示的あるいは黙示的に端末に通知する。また、基地局１０１は、第２の制御チャネルの設定を端末にシグナリングする。端末１０２は、第２の制御チャネルを用いる旨の通知を、基地局１０１から明示的あるいは黙示的に受けた場合、第２の制御チャネルの設定に基づいて、第２の制御チャネルをモニタリングする。一方、端末１０２は、第２の制御チャネルを用いる旨の通知を、基地局１０１から明示的あるいは黙示的に受けない場合、第１の制御チャネルのみをモニタリングする。
【００９８】
この制御チャネルの切り替えは、基地局１０１から端末１０２への、第２の制御チャネルを用いるか否かの明示的あるいは黙示的な通知に基づいて制御される。上記の説明では、基地局１０１から端末１０２に通知される送信モードおよび第２の制御チャネルを設定するための制御情報に基づいて、黙示的に第２の制御チャネルを用いるか否かを通知する例について説明したが、これに限るものではない。
【００９９】
例えば、予め基地局１０１と端末１０２との間で、第１の送信モードでは第１の制御チャネルのみを用い、第２の送信モードでは第２の制御チャネルを用いることができるという取り決めをしておく。また、基地局１０１は端末１０２に第２の制御チャネルの設定情報を通知する。そして、基地局１０１が端末１０２に送信モードを通知することで、黙示的に第２の制御チャネルを用いるか否かを通知する。基地局１０１は端末１０２に第２の制御チャネル領域の設定情報を通知し、第２の送信モードを通知された端末１０２は、第２の制御チャネルをモニタリングする。また、第１の送信モードを通知された端末１０２は、第１の制御チャネルのみをモニタリングする。すなわち、基地局１０１が端末１０２に通知する送信モードに基づいて、端末１０２がモニタリングする制御チャネルが黙示的に切り替えられる。
【０１００】
また、別の例では、予め基地局１０１と端末１０２との間で、第２の制御チャネルの設定情報（第２の制御チャネル領域の設定情報など）をＲＲＣシグナリングなどのシグナリングに一度も含まない、あるいは、第２の制御チャネルの設定情報を解放することにより端末内に第２の制御チャネルの設定情報を設定しない場合は第１の制御チャネルのみを用い、第２の制御チャネルの設定情報をシグナリングにより通知し、端末内に第２の制御チャネルの設定情報を設定する場合は第２の制御チャネルを用いることができるという取り決めをしておく。そして、基地局１０１から端末１０２へのシグナリングよりに第２の制御チャネルの設定情報を設定するか否かで、黙示的に第２の制御チャネルを用いるか否かを通知する。基地局１０１は端末に第２の制御チャネルの設定情報を設定した場合、端末１０２は、第２の制御チャネルをモニタリングする。また、基地局は端末に第２の制御チャネルの設定情報を設定しない場合、端末１０２は、第２の制御チャネルをモニタリングせずに第１の制御チャネルのみをモニタリングする。すなわち、基地局１０１が端末１０２に通知する制御情報である、第２の制御チャネルを設定するための設定情報に基づいて、端末１０２がモニタリングする制御チャネルが黙示的に切り替えられる。
【０１０１】
また、別の例では、基地局１０１は端末１０２に第２の制御チャネル領域の設定情報を通知する。また、基地局１０１から端末１０２へ、第２の制御チャネルを用いるか否かを示す設定情報を明示的にＲＲＣシグナリングなどのシグナリングを介して通知する。第２の制御チャネルを用いるか否かを示す設定情報が第２の制御チャネルを用いることを示す場合、端末１０２は、第２の制御チャネルをモニタリングする。また、基地局１０１は端末１０２に第２の制御チャネルを用いるか否かを示す設定情報が第２の制御チャネルを用いないことを示す場合、端末１０２は、第１の制御チャネルのみをモニタリングする。また、第２の制御チャネルを用いることを示す設定情報が設定されるか否かによって、端末１０２がモニタリングする制御チャネルを切り替えてもよい。
【０１０２】
また、別の例では、基地局１０１は端末１０２に第２の制御チャネル領域の設定情報を通知する。また、基地局１０１から端末１０２へ、第２の制御チャネルの有効／無効を物理制御情報などのシグナリングを介して通知する。第２の制御チャネルの有効を示す制御情報が第１の制御チャネルを介して通知された場合、端末１０２は、第２の制御チャネルの有効が通知されたサブフレームから第２の制御チャネルのモニタリングを開始する。また、第２の制御チャネルの無効が第１の制御チャネルまたは第２の制御チャネルを介して通知された場合、端末は、第２の制御チャネルの無効が通知されたサブフレームの次のサブフレームから第２の制御チャネルのモニタリングを停止する。なお、第２の制御チャネルの有効／無効は、所定の下りリンク制御情報のコードポイント（制御情報フォーマット内のビット系列が所定のビット系列である場合に有効であることを示すなど）を用いて示しても良いし、所定の符号でマスキングすることにより（所定の符号でマスキングされている場合は有効であることを示すなど）示してもよい。
【０１０３】
これらのように、基地局１０１による明示的あるいは黙示的な通知であれば、これに応じて制御チャネルを切り替えることができる。
【０１０４】
このように、１つの視点によると、セル固有参照信号と同じ送信ポートを用いる物理制御チャネルと、端末固有参照信号と同じ送信ポートを用いる物理制御チャネルとを切り替える。これにより、基地局１０１は、端末１０２に対する制御チャネルを、状況に応じてセル固有参照信号または端末固有参照信号のいずれかによって復調処理をさせることができるため、それぞれの参照信号により得られる特性を考慮したリソース割り当てのスケジューリングをすることができる。すなわち、端末が初期アクセスする場合や、基地局に収容される端末数が少なくＰＤＣＣＨの容量が逼迫していない場合などは、第１の制御チャネル領域にマッピングされる制御チャネルを用いることにより、セル固有参照信号により復調処理が行われ、基地局に収容される端末数が多くなってＰＤＣＣＨの容量が逼迫している場合などは、第２の制御チャネル領域にマッピングされる制御チャネルを用いることにより、端末固有参照信号により復調処理が行われる。
【０１０５】
また、特にＣｏＭＰ通信を行う端末では、端末固有参照信号と同じ送信ポートを用いる物理制御チャネルに切り替える。端末固有参照信号を用いて復調される制御チャネルは、端末１０２に好適なプレコーディング処理を行うことができるため、端末１０２は、優れた伝送特性の伝送チャネルを通じた制御チャネルを受信できる。また、端末固有参照信号を用いて通知される制御チャネルは、複数の基地局から同一の制御チャネルが送信される場合でも、それぞれの基地局からの合成された伝送路状況を推定することができる。そのため、端末１０２は、ＣｏＭＰ通信において、それぞれの基地局の伝送路状況を個別に推定する必要がなく、効率的に受信処理ができる。また、セル固有参照信号を用いて復調される制御チャネルは、端末１０２が制御チャネルを復調処理する際に、端末固有参照信号のような新たなリソースを用いる必要がないため、基地局１０１はオーバーヘッドを増加することなく、効率的に制御チャネルを通知できる。
【０１０６】
なお、この効果を得るためには、第１の制御チャネルを配置するリソース（第１の制御チャネル領域）と第２の制御チャネルを配置するリソース（第２の制御チャネル領域）とを異なるようにするという限定は必要ない。例えば、第１の制御チャネルと第２の制御チャネルとが、共にＰＤＳＣＨ領域を用いる場合など、第１の制御チャネルと第２の制御チャネルとが、同じリソースに配置される場合であっても、それぞれの制御チャネルに関連づけられた送信ポートが、それぞれセル固有参照信号と端末固有参照信号であれば、上記の効果を奏する。また、この効果を得るためには、第２の制御チャネルは、端末固有の物理制御チャネルであるという限定は必要ない。例えば、第２の制御チャネルの設定情報を報知チャネルで報知し、基地局に収容された複数の端末が共有して利用する場合など、第２の制御チャネルがセル固有の物理制御チャネルである場合であっても、それぞれの制御チャネルに関連づけられた送信ポートが、それぞれセル固有参照信号と端末固有参照信号であれば、上記の効果を奏する。なお、この場合の端末固有参照信号は、予め設定された端末固有参照信号を用いる。
【０１０７】
なお、以上の説明では、基地局１０１から端末１０２へのシグナリングにより、第２の制御チャネルのモニタリングが設定された場合、端末１０２は、第２の制御チャネルのモニタリングをしたが、それに限定するものではない。例えば、基地局１０１から端末１０２へのシグナリングにより、第２の制御チャネルのモニタリングを設定する。このとき、端末１０２は、１つのサブフレーム中の第２の制御チャネルに加えて、同じサブフレーム中の第１の制御チャネルもモニタリングする。すなわち、端末１０２は、１つのサブフレーム中で、第１の制御チャネルを検索するＳＳにおいて第１の制御チャネルを検索し、第２の制御チャネルを検索するＳＳにおいて第２の制御チャネルを検索する。
【０１０８】
このときのＳＳの設定方法あるいはモニタリング方法は、様々な方法を用いることができる。例えば、第１の制御チャネル領域にはＣＳＳとＵＳＳ（第１のＵＳＳ）が設定され、第２の制御チャネル領域にＵＳＳ（第２のＵＳＳ）が設定される。基地局１０１から端末１０２へのシグナリングにより、第２の制御チャネルのモニタリングを設定されると、端末はＣＳＳにおいて第１の制御チャネルを検索し、端末はＵＳＳにおいて第２の制御チャネルを検索する。
【０１０９】
なお、以上の説明では、基地局１０１が端末１０２に対して第２の制御チャネルを設定するための制御情報は、端末１０２に固有の情報である場合を説明したが、それに限定するものではない。すなわち、基地局１０１が端末１０２に対して第２の制御チャネルを設定するための制御情報は、基地局１０１に固有の情報であってもよい。例えば、基地局１０１は、第２の制御チャネルを設定するための制御情報を、報知制御チャネル（ＢＣＨ；Ｂｒｏａｄｃａｓｔ  Ｃｈａｎｎｅｌ）を通じて、各端末に報知してもよい。これにより、基地局１０１は、第２の制御チャネルを設定するための制御情報のオーバーヘッドを低減できる。また、基地局１０１は、第２の制御チャネルを設定するための制御情報を、ＲＲＣシグナリングを通じて、基地局１０１に固有の情報である無線リソースに対するセル固有設定情報（ＲａｄｉｏＲｅｓｏｕｒｃｅＣｏｎｆｉｇＣｏｍｍｏｎ）の一部として、各端末に通知してもよい。これにより、基地局１０１は、第２の制御チャネルの設定を端末毎にスケジューリングする必要がなくなるため、スケジューリング処理の負荷を低減できる。
【０１１０】
なお、以上の説明では、基地局１０１は、端末１０２に対して、第２の制御チャネルの端末固有設定情報を設定するか否かに基づいて、端末１０２がブラインドデコーディングする制御チャネルを切り替える方法を説明したが、それに限定するものではない。例えば、基地局１０１は、端末１０２に対して、第２の制御チャネルを設定するか否かを示す情報をＲＲＣシグナリングまたはＰＤＣＣＨを通じて通知してもよい。その場合、第２の制御チャネルを設定するための制御情報は、報知制御チャネルを通じて報知してもよい。また、基地局１０１は、第２の制御チャネルを設定するための制御情報を、ＲＲＣシグナリングを通じて、基地局１０１に固有の情報である無線リソースに対するセル固有設定情報の一部として、各端末に通知してもよい。これにより、基地局１０１は、端末１０２に対して、効率的に設定することができる。
【０１１１】
なお、以上の説明では、基地局１０１は、端末１０２に対して、第２の制御チャネルの端末固有設定情報を設定するか否かに基づいて、端末１０２がブラインドデコーディングする制御チャネルを切り替える方法を説明したが、それに限定するものではない。例えば、基地局１０１は、第２の制御チャネルを設定するか否かをサブフレーム毎に設定し、それを示すビットマップ形式の情報をＲＲＣシグナリングまたはＰＤＣＣＨを通じて通知してもよい。その場合、第２の制御チャネルを設定するための制御情報は、報知制御チャネルを通じて報知してもよい。また、基地局１０１は、第２の制御チャネルを設定するための制御情報を、ＲＲＣシグナリングを通じて、基地局１０１に固有の情報である無線リソースに対するセル固有設定情報の一部として、各端末に通知してもよい。これにより、基地局１０１は、端末１０２に対して、効率的に設定することができる。また、基地局１０１は、端末１０２に対して、効率的にスケジューリングできる。
【０１１２】
また、基地局１０１が、ビットマップ形式の情報を用いて、第２の制御チャネルを設定するか否かをサブフレーム毎に設定する場合、そのサブフレーム毎の設定は、基地局１０１または他の基地局におけるＡＢＳ（Ａｌｍｏｓｔ  Ｂｌａｎｋ  Ｓｕｂｆｒａｍｅ）の設定に基づいて決定されることができる。例えば、基地局１０１に隣接する基地局がＡＢＳに設定したサブフレームと同時に送信される基地局１０１のサブフレームでは、基地局１０１は、端末１０２に対して、第１の制御チャネルを設定する。また、基地局１０１に隣接する基地局がＡＢＳに設定しないサブフレームと同時に送信される基地局１０１のサブフレームでは、基地局１０１は、端末１０２に対して、第２の制御チャネルを設定する。ここで、ＡＢＳは、共有チャネル、第１の制御チャネル、第２の制御チャネルを含むチャネルに対して、送信電力を低減（無送信も含む）して送信されるサブフレームである。このＡＢＳを用いることにより、ＡＢＳを設定した基地局に隣接する基地局とデータ通信を行う端末に対する干渉が低減できる。そのため、基地局間での干渉コーディネーション（ＩＣＩＣ；Ｉｎｔｅｒ−ｃｅｌｌ  ｉｎｔｅｒｆｅｒｅｎｃｅ  ｃｏｏｒｄｉｎａｔｉｏｎ）が実現できる。
【０１１３】
また、端末１０２は、基地局１０１から通知される測定リソース制限パターンに基づいて、ブラインドデコーディングする制御チャネルを選択してもよい。例えば、測定リソース制限パターンは、サービングセルにおけるＲＲＭ（Ｒａｄｉｏ  Ｒｅｓｏｕｒｃｅ  Ｍａｎａｇｅｍｅｎｔ）／ＲＬＭ（Ｒａｄｉｏ  Ｌｉｎｋ  Ｃｏｎｔｒｏｌ）の測定を制限する情報、隣接する基地局におけるＲＲＭの測定を制限する情報、サービングセルにおけるＣＳＩ（Ｃｈａｎｎｅｌ  Ｓｔａｔｅ  Ｉｎｆｏｒｍａｔｉｏｎ）の測定を制限する情報である。特に、サービングセルにおけるＣＳＩ（Ｃｈａｎｎｅｌ  Ｓｔａｔｅ  Ｉｎｆｏｒｍａｔｉｏｎ）の測定を制限する情報は、端末１０２に対して、２つのサブフレームサブセットとして設定される。端末１０２は、そのサブフレームサブセットが示すサブフレームにおいて伝送路状況を測定し、周期的または非周期的にレポートを行う。端末１０２は、さらに、そのサブフレームサブセットに基づいて、ブラインドデコーディングする制御チャネルを選択してもよい。例えば、端末１０２は、一方のサブフレームサブセットが示すサブフレームにおいて、第１の制御チャネルをブラインドデコーディングする。また、端末１０２は、もう一方のサブフレームサブセットが示すサブフレームにおいて、第２の制御チャネルをブラインドデコーディングする。また、２つのサブフレームサブセットと、２つの制御チャネルとのリンクは、予め規定しておくこともできるし、ＲＲＣシグナリングにより設定されることもできる。さらに、第２の制御チャネルをブラインドデコーディングすることを示すサブフレームにおいて、端末１０２は、基地局１０１から第２の制御チャネルが設定されていない場合、第１の制御チャネルをブラインドデコーディングする。
【０１１４】
（第２の実施形態）
以下、本発明の第２の実施形態について説明する。本発明の第２の実施形態における通信システムは、本発明の第１の実施形態における通信システムと同様に、基地局１０１および端末１０２を備える。以下では、本発明の第１の実施形態と異なる部分を中心に説明する。
【０１１５】
本発明の第２の実施形態における通信システムでは、基地局１０１は、複数のセルを有し、キャリアアグリゲーションにより、端末１０２に対して、データ通信を行うサービングセルを設定することができる。ここで、セルは、コンポーネントキャリア（ＣＣ；Ｃｏｍｐｏｎｅｎｔ  Ｃａｒｒｉｅｒ）とも呼ばれ、それぞれ固有のセルＩＤを設定することができる。
【０１１６】
図１０は、本発明の第２の実施形態に係るキャリアアグリゲーションを行うセルの周波数配置の一例を示す図である。図１０では、基地局１０１が、３つのセル（ＣＣ、コンポーネントキャリア）によるキャリアアグリゲーションを行うことができる場合を示している。このとき、キャリアアグリゲーションを行うセルは、周波数方向に連続的および／または非連続的に配置することができ、各セルのシステム帯域幅は、異なるように設定することができる。
【０１１７】
また、基地局１０１は、端末１０２に対してキャリアアグリゲーションを設定する場合、端末１０２に固有にサービングセル（サービングＣＣ）を設定できる。そのとき、基地局１０１は、端末１０２に対して、サービングセルとして、１つのプライマリーセル（ＰＣＣ、プライマリーＣＣ、ＰＣｅｌｌ）および１つ以上のセカンダリーセル（ＳＣＣ、セカンダリーＣＣ、ＳＣｅｌｌ）を設定できる。
【０１１８】
ここで、プライマリーセルは、端末１０２においてプライマリー周波数（Ｐｒｉｍａｒｙ  ｆｒｅｑｕｅｎｃｙ）でデータ通信を行うセルであり、基地局１０１に初期接続処理または再接続処理を行う。また、プライマリーセルは、他のセル（基地局、ＣＣ）からのハンドオーバー処理の中でプライマリーセルとして示されるセルである。また、プライマリーセルは、ハンドオーバー処理によって変更することができる。また、プライマリーセルは、上りリンク制御チャネル（ＰＵＣＣＨ）の送信のために用いられる。
【０１１９】
ここで、セカンダリーセルは、端末１０２においてセカンダリー周波数（Ｓｅｃｏｎｄａｒｙ  ｆｒｅｑｕｅｎｃｙ）でデータ通信を行うセルであり、ＲＲＣシグナリングを通じて、設定（追加／解放／変更も含む）されることができる。例えば、セカンダリーセルは、ＲＲＣの接続が確立された時点で設定されることができ、追加的な無線リソースを提供するために用いられることができる。
【０１２０】
さらに、ＲＲＣシグナリングで設定されたセカンダリーセルは、アクティベーション（有効、活性化）またはデアクティベーション（無効、非活性化）に設定されることができる。ここで、セカンダリーセルにおけるアクティベーションまたはデアクティベーションは、端末１０２のバッテリー消費を低減するために設定される。端末１０２は、デアクティベーションに設定されたセカンダリーセルの一部または全部のチャネルを受信しない（モニタリングしない）。また、セカンダリーセルにおけるアクティベーションまたはデアクティベーションの設定は、ＭＡＣ（Ｍｅｄｉａ  Ａｃｃｅｓｓ  Ｃｏｎｔｒｏｌ）層によるシグナリング（ＭＡＣシグナリング）およびデアクティベーションに対するタイマーにより行われる。すなわち、端末１０２は、ＭＡＣシグナリングを通じて、セカンダリーセル毎にアクティベーションまたはデアクティベーションを示すビットマップ形式の情報を通知される。端末１０２は、セカンダリーセルがアクティベーションに設定される場合、そのセカンダリーセルはアクティベーションされる。また、端末１０２は、セカンダリーセルがデアクティベーションに設定された後、デアクティベーションに対するタイマーが示す時間までに制御チャネルおよび／またはデータチャネルを受信しない場合、そのセカンダリーセルはデアクティベーションされる。また、端末１０２は、セカンダリーセルがデアクティベーションに設定された後、デアクティベーションに対するタイマーが示す時間までに制御チャネルおよび／またはデータチャネルを受信する場合、そのセカンダリーセルはアクティベーションされる。
【０１２１】
例えば、図１０の例において、基地局１０１は、端末１０２に対して、セル２をプライマリーセルとして設定し、セル３をセカンダリーセルとして設定する。さらに、基地局１０１は、端末１０２に対して、それぞれのセル毎に第２の制御チャネルを設定できる。
【０１２２】
端末１０２は、基地局１０１によって、プライマリーセルに対して第２の制御チャネルが設定される場合、そのプライマリーセルにおける第２の制御チャネルをモニタリングする。また、基地局１０１によって、プライマリーセルに対して第２の制御チャネルが設定されない場合、そのプライマリーセルにおける第１の制御チャネルをモニタリングする。また、端末１０２は、基地局１０１によって、セカンダリーセルがアクティベーションされ、そのセカンダリーセルに対して第２の制御チャネルが設定される場合、そのセカンダリーセルにおける第２の制御チャネルをモニタリングする。また、端末１０２は、基地局１０１によって、セカンダリーセルがアクティベーションされ、そのセカンダリーセルに対して第２の制御チャネルが設定されない場合、そのセカンダリーセルにおける第１の制御チャネルをモニタリングする。
【０１２３】
また、端末１０２は、セカンダリーセルがデアクティベーションに設定される場合、予め規定された方法または基地局１０１から通知された方法に基づいて処理する。例えば、端末１０２は、セカンダリーセルがデアクティベーションに設定される場合、第２の制御チャネルが設定されているか否かに関わらず、そのセカンダリーセルにおける第１の制御チャネルおよび第２の制御チャネルをモニタリングしない。これにより、端末１０２は、制御チャネルのモニタリング処理を低減できる。また、別の例では、端末１０２は、セカンダリーセルがデアクティベーションに設定される場合、第２の制御チャネルが設定されているか否かに関わらず、そのセカンダリーセルにおける第２の制御チャネルをモニタリングしない。これにより、基地局１０１は、端末１０２に対して、そのセカンダリーセルを通じて、制御情報を通知できる。また、別の例では、端末１０２は、セカンダリーセルがデアクティベーションに設定され、第２の制御チャネルが設定されている場合、そのセカンダリーセルにおける第２の制御チャネルをモニタリングする。これにより、基地局１０１は、端末１０２に対して、そのセカンダリーセルを通じて、制御情報を通知できる。
【０１２４】
また、各セルにおいて、端末１０２が、第１の制御チャネルをモニタリングするか、第２の制御チャネルをモニタリングするかの切り替えは、本発明の第１の実施形態に記載した方法を適用できる。すなわち、端末１０２における制御チャネルの切り替えは、本発明の第１の実施形態で説明したように、基地局１０１から端末１０２への、第２の制御チャネルを用いるか否かの明示的あるいは黙示的な通知に基づいて制御される。
【０１２５】
また、基地局１０１が端末１０２に対して、第２の制御チャネルを設定できるセルは、プライマリーセルに予め規定されることができる。その場合、第２の制御チャネルを設定するための制御情報は、図８に示した無線リソースに対する端末固有設定情報を用いることができる。また、第２の制御チャネルを設定できるセルがプライマリーセルに予め規定される場合、端末１０２は、基地局１０１から通知される第２の制御チャネルの制御情報を、プライマリーセルに対して設定する。
【０１２６】
図１１は、無線リソースに対する端末固有設定情報の別の一例を示す図である。図１１では、基地局１０１が、端末１０２にキャリアアグリゲーションを設定し、端末１０２におけるプライマリーセルおよびセカンダリーセルに、第２の制御チャネルを個別に設定する場合を示す。図１１に示す例において、無線リソースに対する端末固有設定情報は、第１の実施形態で説明した物理チャネルに対する端末固有設定情報に加えて、セカンダリーセルにおける物理チャネルに対する端末固有設定情報（ＰｈｙｓｉｃａｌＣｏｎｆｉｇＤｅｄｉｃａｔｅｄＳＣｅｌｌ−ｒ１１）を含んで構成される。なお、図１１における無線リソースに対する端末固有設定情報は、プライマリーセルにおける無線リソースに対する端末固有設定情報とすることができる。
【０１２７】
物理チャネルに対する端末固有設定情報は、プライマリーセルにおける物理チャネルに対する端末固有の設定を規定する制御情報である。セカンダリーセルにおける物理チャネルに対する端末固有設定情報は、セカンダリーセルにおける物理チャネルに対する端末固有の設定を規定する制御情報である。また、物理チャネルに対する端末固有設定情報およびセカンダリーセルにおける物理チャネルに対する端末固有設定情報は、それぞれ第２の制御チャネルの端末固有設定情報を含んで構成される。
【０１２８】
図１１における第２の制御チャネルの端末固有設定情報は、図８で説明した第２の制御チャネルの端末固有設定情報と同様であり、プライマリーセルおよびセカンダリーセルに対してそれぞれ独立に設定できる。また、第２の制御チャネルは、プライマリーセルまたはセカンダリーセルのいずれかに対して設定されることができる。その場合、第２の制御チャネルが設定されるセルのみにおいて、第２の制御チャネルの端末固有設定情報が設定される。
【０１２９】
図１１に示す方法を用いることにより、基地局１０１は、端末１０２に対して、プライマリーセルおよびセカンダリーセルの第２の制御チャネルを効率的に設定することができる。また、第２の制御チャネルの端末固有設定情報を含む各セルにおける物理チャネルに対する端末固有設定情報が、無線リソースに対する端末固有設定情報に含まれるため、基地局１０１は、端末１０２に対して、下りリンクの伝送路状況や基地局１０１の状況に応じて、適応的に設定することができる。
【０１３０】
図１２は、無線リソースに対する端末固有設定情報の別の一例を示す図である。図１２では、基地局１０１が、端末１０２にキャリアアグリゲーションを設定し、端末１０２におけるプライマリーセルおよびセカンダリーセルに、第２の制御チャネルを個別に設定する場合を示す。図１２に示す例において、無線リソースに対する端末固有設定情報は、物理チャネルに対する端末固有設定情報を含んで構成される。物理チャネルに対する端末固有設定情報は、第１の実施形態で説明した第２の制御チャネルの端末固有設定情報に加えて、セカンダリーセルにおける第２の制御チャネルの端末固有設定情報（ＸＰＤＣＣＨ−ＣｏｎｆｉｇＤｅｄｉｃａｔｅｄＳＣｅｌｌ−ｒ１１）を含んで構成される。なお、図１２における第２の制御チャネルの端末固有設定情報は、プライマリーセルにおける第２の制御チャネルの端末固有設定情報とすることができる。
【０１３１】
第２の制御チャネルの端末固有設定情報は、プライマリーセルにおける第２の制御チャネルの端末固有の設定情報を規定するために用いられる。セカンダリーセルにおける第２の制御チャネルの端末固有設定情報は、セカンダリーセルにおける第２の制御チャネルの端末固有の設定情報を規定するために用いられる。また、第２の制御チャネルの端末固有設定情報およびセカンダリーセルにおける第２の制御チャネルの端末固有設定情報は、それぞれ第２の制御チャネルのサブフレーム設定情報を含んで構成される。
【０１３２】
図１２における第２の制御チャネルのサブフレーム設定情報は、図８で説明した第２の制御チャネルのサブフレーム設定情報と同様であり、プライマリーセルおよびセカンダリーセルに対して独立に設定できる。また、第２の制御チャネルは、プライマリーセルまたはセカンダリーセルのいずれかに対してそれぞれ設定されることができる。その場合、第２の制御チャネルが設定されるセルのみにおいて、第２の制御チャネルの端末固有設定情報または第２の制御チャネルのサブフレーム設定情報が設定される。
【０１３３】
図１２に示す方法を用いることにより、基地局１０１は、端末１０２に対して、プライマリーセルおよびセカンダリーセルの第２の制御チャネルを効率的に設定することができる。また、各セルにおける第２の制御チャネルの端末固有設定情報が、物理チャネルに対する端末固有設定情報に含まれるため、基地局１０１は、端末１０２に対する制御情報のオーバーヘッドを低減させつつ、端末１０２に対して、下りリンクの伝送路状況や基地局１０１の状況に応じて、適応的に設定することができる。
【０１３４】
図１３は、第２の制御チャネルの端末固有設定情報の別の一例を示す図である。以下では、図８で説明した第２の制御チャネルの端末固有設定情報との相違点を説明する。第２の制御チャネルの端末固有設定情報に含まれて構成される第２の制御チャネルのサブフレーム設定情報は、割り当てセルＩＤ（ｓｃｈｅｄｕｌｉｎｇＣｅｌｌＩｄ−ｒ１１）をさらに含んで構成される。
【０１３５】
割り当てセルＩＤは、第２の制御チャネルのサブフレーム設定情報により第２の制御チャネルが設定されるセルを示す情報である。また、割り当てセルＩＤは、端末１０２に設定されたサービングセルまたは基地局１０１がキャリアアグリゲーションとして設定できるセルの中から選択される。また、割り当てセルＩＤは、１つまたは複数のセルを設定することができる。複数の割り当てセルＩＤが設定された場合、第２の制御チャネルのサブフレーム設定情報の一部または全部は、それぞれのセルに対して、共通の設定情報とすることができる。また、複数の割り当てセルＩＤが設定された場合、第２の制御チャネルのサブフレーム設定情報は、それぞれのセルに対して個別に設定することができる。
【０１３６】
また、割り当てセルＩＤが示すセルがセカンダリーセルを示し、そのセカンダリーセルがデアクティベーションに設定される場合、端末１０２は、予め規定された方法または基地局１０１から通知された方法に基づいて処理する。例えば、端末１０２は、通知された第２の制御チャネルのサブフレーム設定情報に関わらず、セカンダリーセルにおける第１の制御チャネルおよび第２の制御チャネルをモニタリングしない。これにより、端末１０２は、制御チャネルのモニタリング処理を低減できる。また、別の例では、端末１０２は、セカンダリーセルに対するデアクティベーションの設定に関わらず、セカンダリーセルにおける第１の制御チャネルまたは第２の制御チャネルのいずれかをモニタリングする。これにより、基地局１０１は、端末１０２に対して、そのセカンダリーセルを通じて、制御情報を通知できる。
【０１３７】
また、図１３に示す第２の制御チャネルの端末固有設定情報は、プライマリーセルおよび／またはセカンダリーセルにおける制御情報として、通知され設定されることができる。なお、図１３に示す第２の制御チャネルの端末固有設定情報は、１つのセルのみから通知される場合、プライマリーセルにおける制御情報として、通知され設定されることが好ましい。
【０１３８】
図１３に示す方法を用いることにより、基地局１０１は、端末１０２に対して、プライマリーセルおよびセカンダリーセルの第２の制御チャネルを効率的に設定することができる。また、第２の制御チャネルのサブフレーム設定情報に割り当てセルＩＤを含めて設定することにより、基地局１０１は、端末１０２に対する制御情報のオーバーヘッドを低減させつつ、端末１０２に対して、下りリンクの伝送路状況や基地局１０１の状況に応じて、適応的に設定することができる。
【０１３９】
以上で説明した方法を用いることにより、本発明の第１の実施形態で説明した効果に加えて、基地局１０１は、端末１０２に対して、キャリアアグリゲーションを設定し、プライマリーセルおよび／またはセカンダリーセルに第２の制御チャネルを設定する場合、効率的に設定することができる。
【０１４０】
なお、以上の説明では、プライマリーセルに対する制御情報は、本発明の第１の実施形態で説明した制御情報を設定し、セカンダリーセルに対して第２の制御チャネルを設定する場合、本発明の第１の実施形態で説明したセカンダリーセルに対する制御情報をさらに追加して設定したが、それに限定するものではない。すなわち、プライマリーセルおよびセカンダリーセルに対して第２の制御チャネルを設定するために、それぞれのセルに対する制御情報を設定してもよい。
【０１４１】
なお、上記各実施形態では、データチャネル、制御チャネル、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プレコーディング処理されたＲＳを用いて復調する場合について説明し、プレコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ  ＲＳを用い、ポートとしては、プリコーディング処理後の出力端と等価であるポートあるいは物理アンテナ（あるいは物理アンテナの組み合わせ）と等価であるポートを用いることができる。
【０１４２】
本発明に関わる基地局１０１および端末１０２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１４３】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１０１および端末１０２の一部、または全部を典型的には集積回路であるＬＳＩとして実現してもよい。基地局１０１および端末１０２の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１４４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１４５】
本発明は、無線基地局装置や無線端末装置や無線通信システムや無線通信方法に用いて好適である。
【符号の説明】
【０１４６】
１０１、１４０１  基地局
１０２、１４０２、１４０３、１５０４  端末
１０３、１４０４、１４０５、１５０５、１５０６  下りリンク
２０１、３０５  上位レイヤー
２０２  データチャネル生成部
２０３  端末固有参照信号多重部
２０４  プレコーディング部
２０５  セル固有参照信号多重部
２０６  送信信号生成部
２０７  送信部
３０１  受信部
３０２  受信信号処理部
３０３  制御チャネル処理部
３０４  データチャネル処理部
１５０１  マクロ基地局
１５０２  ＲＲＨ
１５０３  回線
【図１】
0005895356.tif 000002
【図２】
0005895356.tif 000003
【図３】
0005895356.tif 000004
【図４】
0005895356.tif 000005
【図５】
0005895356.tif 000006
【図６】
0005895356.tif 000007
【図７】
0005895356.tif 000008
【図８】
0005895356.tif 000009
【図９】
0005895356.tif 000010
【図１０】
0005895356.tif 000011
【図１１】
0005895356.tif 000012
【図１２】
0005895356.tif 000013
【図１３】
0005895356.tif 000014
【図１４】
0005895356.tif 000015
【図１５】
0005895356.tif 000016